(57)【要約】【課題】無線通信システムにおいて、最初の伝送または再伝送における信頼性を向上させることができる伝送装置及びその伝送方法を提供する。【解決手段】本発明に係る伝送方法は、ＱＡＭ信号点配置パターンにマップされた第１のデータを伝送する最初の伝送ステップと、ＱＡＭ信号点配置パターンにマップされた第２のデータを再伝送する再伝送ステップとを含む。ここで、上記第２のデータは、第１のデータの反転である。【選択図】図７
2010206797.tif 000002
【特許請求の範囲】
【請求項１】
ＱＡＭ信号点配置パターンにマップされた第１のデータを伝送する最初の伝送ステップと、
前記ＱＡＭ信号点配置パターンにマップされた第２のデータを再伝送する再伝送ステップと、を含み、
前記第２のデータは、前記第１のデータの反転である、無線通信システムの伝送器におけるデータの再伝送のための伝送方法。
【請求項２】
前記ＱＡＭ信号点配置パターンは、１６ＱＡＭ信号点配置パターンであり、前記第１のデータは、ビット配列（ｂ３，ｂ２，ｂ１，ｂ０）であり、前記第２のデータは、ビット配列（ｂ０，ｂ１，ｂ２，ｂ３）である、請求項１に記載の伝送方法。
【請求項３】
前記１６ＱＡＭ信号点配置パターンの変調シンボルは、４ビット［ａ３，ａ２，ａ１，ａ０］を含み、前記ビット［ａ３，ａ１］は、高信頼性を有し、前記ビット［ａ２，ａ０］は、低信頼性を有する、請求項２に記載の伝送方法。
【請求項４】
前記ＱＡＭ信号点配置パターンは、６４ＱＡＭ信号点配置パターンであり、前記第１のデータは、ビット配列（ｂ５，ｂ４，ｂ３，ｂ２，ｂ１，ｂ０）であり、前記第２のデータは、ビット配列（ｂ０，ｂ１，ｂ２，ｂ３，ｂ４，ｂ５）である、請求項１に記載の伝送方法。
【請求項５】
前記６４ＱＡＭ信号点配置パターンの変調シンボルは、６ビット［ａ５，ａ４，ａ３，ａ２，ａ１，ａ０］を含み、前記ビット［ａ５，ａ２］は、高信頼性を有し、前記ビット［ａ４，ａ１］は、中信頼性を有し、前記ビット［ａ３，ａ０］は、低信頼性を有する、請求項４に記載の伝送方法。
【請求項６】
前記最初の伝送ステップにおいて、前記第１のデータを前記ＱＡＭ信号点配置パターンに基づいて第１の変調シンボルにマップさせ、前記第１の変調シンボルを伝送するステップと、
前記第２のデータを得るために前記第１のデータを反転するステップと、
前記再伝送ステップにおいて、前記第２のデータを前記ＱＡＭ信号点配置パターンに基づいて第２の変調シンボルにマップさせ、前記第２の変調シンボルを伝送するステップと、をさらに含む、請求項１に記載の伝送方法。
【請求項７】
１６ＱＡＭ信号点配置パターンにマップされたビット配列（ｂ３，ｂ２，ｂ１，ｂ０）を伝送する最初の伝送ステップと、
再伝送要求を受信すると、再配列されたビット配列（ｂ２，ｂ３，ｂ０，ｂ１）を生成するために、ｂ３及びｂ１を、ｂ２及びｂ０とスワップすることにより再配列を実行するステップと、
前記１６ＱＡＭ信号点配置パターンにマップされた前記再配列されたビット配列（ｂ２，ｂ３，ｂ０，ｂ１）を再伝送する再伝送ステップと、を含む、無線通信システムの伝送器におけるデータの再伝送のための伝送方法。
【請求項８】
６４ＱＡＭ信号点配置パターンにマップされたビット配列（ｂ５，ｂ４，ｂ３，ｂ２，ｂ１，ｂ０）を伝送する最初の伝送ステップと、
再伝送要求を受信すると、再配列されたビット配列（ｂ４，ｂ５，ｂ２，ｂ３，ｂ０，ｂ１）を生成するために、ｂ５、ｂ３及びｂ１を、ｂ４、ｂ２、及びｂ０とスワップすることにより再配列を実行するステップと、
前記６４ＱＡＭ信号点配置パターンにマップされた前記再配列されたビット配列（ｂ４，ｂ５，ｂ２，ｂ３，ｂ０，ｂ１）を再伝送する再伝送ステップと、を含む、無線通信システムの伝送器におけるデータの再伝送のための伝送方法。
【請求項９】
６４ＱＡＭ信号点配置パターンにマップされたビット配列（ｂ５，ｂ４，ｂ３，ｂ２，ｂ１，ｂ０）を伝送する最初の伝送ステップと、
再伝送要求を受信すると、再配列されたビット配列（ｂ３，ｂ４，ｂ５，ｂ０，ｂ１，ｂ２）を生成するために、ｂ５及びｂ２を、ｂ３及びｂ０とスワップすることにより再配列を実行するステップと、
前記６４ＱＡＭ信号点配置パターンにマップされた前記再配列されたビット配列（ｂ３，ｂ４，ｂ５，ｂ０，ｂ１，ｂ２）を再伝送する再伝送ステップと、を含む、無線通信システムの伝送器におけるデータの再伝送のための伝送方法。
【請求項１０】
入力データを符号化し、符号化されたビットを出力することが可能な符号器と、
インターリーブされたビットを生成するために符号化されたビットをインターリーブし、受信器から再伝送要求を受信すると、前記インターリーブされたビットを反転することが可能なチャネルインターリーバーと、
前記反転されたビットを所定の変調方式における変調シンボルにマップすることが可能な変調器と、
前記変調シンボルを前記受信器に伝送可能な伝送器と、を含む、無線通信システムにおけるデータの再伝送が可能な伝送装置。
【請求項１１】
入力データを符号化し、符号化されたビットを出力することが可能な符号器と、
インターリーブされたビットを生成するために符号化されたビットをインターリーブすることが可能なチャネルインターリーバーと、
受信器から再伝送要求を受信すると、スワップされたビットを生成するために前記インターリーブされたビットをスワップすることが可能なビットスワップユニットと、
前記スワップされたビットを所定の変調方式における変調シンボルにマップすることが可能な変調器と、
前記変調シンボルを前記受信器に伝送可能な伝送器と、を含む、無線通信システムにおけるデータの再伝送が可能な伝送装置。
【請求項１２】
前記所定の変調方式は、１６ＱＡＭ変調方式であり、前記ビットスワップユニットは、インターリーブされたビット（ｂ３，ｂ２，ｂ１，ｂ０）に対して、ｂ２及びｂ１を、ｂ３及びｂ０とスワップする、請求項１１に記載の伝送装置。
【請求項１３】
前記所定の変調方式は、１６ＱＡＭ変調方式であり、前記ビットスワップユニットは、インターリーブされたビット（ｂ３，ｂ２，ｂ１，ｂ０）に対して、ｂ３及びｂ１を、ｂ２及びｂ０とスワップする、請求項１１に記載の伝送装置。
【請求項１４】
前記所定の変調方式は、６４ＱＡＭ変調方式であり、前記ビットスワップユニットは、インターリーブされたビット（ｂ５，ｂ４，ｂ３，ｂ２，ｂ１，ｂ０）に対して、ｂ５、ｂ４、及びｂ３を、ｂ０、ｂ１、及びｂ２とスワップする、請求項１１に記載の伝送装置。
【請求項１５】
前記所定の変調方式は、６４ＱＡＭ変調方式であり、前記ビットスワップユニットは、インターリーブされたビット（ｂ５，ｂ４，ｂ３，ｂ２，ｂ１，ｂ０）に対して、ｂ５、ｂ３、及びｂ１を、ｂ４、ｂ２、及びｂ０とスワップする、請求項１１に記載の伝送装置。
【請求項１６】
前記所定の変調方式は、６４ＱＡＭ変調方式であり、前記ビットスワップユニットは、インターリーブされたビット（ｂ５，ｂ４，ｂ３，ｂ２，ｂ１，ｂ０）に対して、ｂ５及びｂ２を、ｂ３及びｂ０とスワップする、請求項１１に記載の伝送装置。
【請求項１７】
第１の符号化されたビットを備える符号化されたデータを生成するために、入力データを符号化するステップと、
第１のインターリーブされたビットを生成するために、前記第１の符号化されたビットをインターリーブするステップと、
処理されたビットを生成するために、前記第１の符号化されたビットを部分的にスワップするステップと、
前記インターリーブされたビットを所定の変調方式における変調シンボルにマップさせるステップと、
前記変調シンボルを伝送するステップと、を含む、伝送方法。
【請求項１８】
前記第１の符号化されたビットを部分的にスワップするステップは、
前記第１の符号化されたビットを、第１のビット分配と第２のビット分配とに分割させるステップと、
スワップされた第２のビット分配を生成するために、所定のスワッピングパターンに基づいて前記第２のビット分配のビットをスワップするステップと、
前記処理されたビットを形成するために、前記第１のビット分配と、前記スワップされた第２のビット分配とを合成するステップと、をさらに含む、請求項１７に記載の伝送方法。
【請求項１９】
受信器から再伝送要求を受信するステップと、
前記所定のスワッピングパターンに基づいて前記第１のビット分配のビットをスワップするステップと、
前記処理されたビットを形成するために、前記スワップされた第１のビット分配と、前記第２のビット分配とを、所定の多重化パターンに基づいて合成するステップと、
前記処理されたビットを前記所定の変調方式における変調シンボルにマップさせるステップと、
前記変調シンボルを前記受信器に再伝送するステップと、をさらに含む、請求項１８に記載の伝送方法。
【請求項２０】
前記符号化されたデータが、第２の符号化されたビットをさらに備える場合に、
第２のインターリーブされたビットを生成するために、前記第２の符号化されたビットをインターリーブするステップと、
前記処理されたビットを形成するために、前記部分的にスワップされた第１の符号化されたビットと、前記第２のインターリーブされた符号化ビットとを、所定の多重化パターンに基づいて合成するステップと、をさらに含む、請求項１７に記載の伝送方法。
【請求項２１】
前記所定の多重化パターンは、前記部分的にスワップされた第１の符号化されたビットと、前記第２のインターリーブされた符号化ビットとを、Ｎ（Ｎは正の整数）ビット毎に多重化させるように定義される、請求項２０に記載の伝送方法。
【請求項２２】
部分的にスワップされた第２の符号化されたビットを生成するために、前記第２の符号化されたビットを部分的にスワップするステップと、
前記処理されたビットを形成するために、前記部分的にスワップされた第１の符号化されたビットと、前記部分的にスワップされた第２の符号化されたビットとを、前記所定の多重化パターンに基づいて合成するステップと、をさらに含む、請求項２０に記載の伝送方法。
【請求項２３】
前記第２の符号化されたビットを部分的にスワップするステップは、
前記第２の符号化されたビットを、第３のビット分配と第４のビット分配とに分割させるステップと、
スワップされた第２のビット分配を生成するために、所定のスワッピングパターンに基づいて前記第４のビット分配のビットをスワップするステップと、
前記第３のビット分配と前記スワップされた第４のビット分配とを合成するステップと、をさらに含む、請求項２２に記載の伝送方法。
【請求項２４】
前記所定の多重化パターンは、前記部分的にスワップされた第１の符号化されたビットと、前記部分的にスワップされた第２の符号化されたビットとを、Ｎ（Ｎは正の整数）ビット毎に多重化させるように定義される、請求項２２に記載の伝送方法。
【請求項２５】
第１の符号化されたビット及び第２の符号化されたビットを生成するために、入力データを符号化可能な符号器と、
第１のインターリーブされた符号化ビット及び第２のインターリーブされた符号化ビットを生成するために、前記第１の符号化されたビット及び前記第２の符号されたビットをインターリーブすることが可能なチャネルインターリーバーと、
部分的にスワップされた第１のインターリーブされた符号化ビットを生成するために、前記第１のインターリーブされた符号化ビットを部分的にスワップし、処理されたビットを生成するために、前記部分的にスワップされた第１のインターリーブされた符号化ビットと、前記第２のインターリーブされた符号化ビットとを合成することが可能な部分スワップユニットと、
前記処理されたビットを所定の変調方式における変調シンボルにマップすることが可能な変調器と、
前記変調シンボルを伝送可能な伝送器と、を含む、伝送装置。
【請求項２６】
前記部分スワップユニットは、さらに、部分的にスワップされた第２のインターリーブされた符号化ビットを生成するために、前記第２のインターリーブされた符号化ビットを部分的にスワップし、前記処理されたビットを形成するために、前記部分的にスワップされた第１のインターリーブされた符号化ビットと、前記部分的にスワップされた第２のインターリーブされた符号化ビットとを合成する、請求項２５に記載の伝送装置。
【請求項２７】
第１の符号化されたビット及び第２の符号化されたビットを生成するために、入力データを符号化するステップと、
処理されたビットを形成するために、前記第１の符号化されたビットと、前記第２の符号化されたビットとを、Ｎ（Ｎは１より大きい整数）ビット毎に多重化させるステップと、
前記処理されたビットを所定の変調方式における変調シンボルにマップさせるステップと、
前記変調シンボルを伝送するステップと、を含む、伝送方法。
【請求項２８】
部分的にスワップされた第１の符号化されたビットを生成するために、前記第１の符号化されたビットを部分的にスワップするステップと、
前記処理されたビットを形成するために、前記部分的にスワップされた第１の符号化されたビットと、前記第２の符号化されたビットとを、Ｎビット毎に多重化させるステップと、をさらに含む、請求項２７に記載の伝送方法。
【請求項２９】
部分的にスワップされた第２の符号化されたビットを生成するために、前記第２の符号化されたビットを部分的にスワップするステップと、
前記処理されたビットを形成するために、前記第１の符号化されたビットと、前記部分的にスワップされた第２の符号化されたビットとを、Ｎビット毎に多重化させるステップと、をさらに含む、請求項２７に記載の伝送方法。
【請求項３０】
部分的にスワップされた第１の符号化されたビットを生成するために、前記第１の符号化されたビットを部分的にスワップするステップと、
部分的にスワップされた第２の符号化されたビットを生成するために、前記第２の符号化されたビットを部分的にスワップするステップと、
前記処理されたビットを形成するために、前記部分的にスワップされた第１の符号化されたビットと、前記部分的にスワップされた第２の符号化されたビットとを、Ｎ（Ｎは１より大きい整数）ビット毎に多重化させるステップと、をさらに含む、請求項２７に記載の伝送方法。
【請求項３１】
第１の符号化されたビット及び第２の符号化されたビットを生成するために、入力データを符号化可能な符号器と、
第１のインターリーブされた符号化ビット及び第２のインターリーブされた符号化ビットを生成するために、前記第１の符号化されたビット及び前記第２の符号されたビットをインターリーブし、処理されたビットを形成するために、前記第１のインターリーブされた符号化ビットと、前記第２のインターリーブされた符号化ビットとを、Ｎ（Ｎは１より大きい整数）ビット毎に多重化することが可能なチャネルインターリーバーと、
前記処理されたビットを所定の変調方式における変調シンボルにマップすることが可能な変調器と、
前記変調シンボルを伝送可能な伝送器と、を含む、伝送装置。
【発明の詳細な説明】
【技術分野】
【０００１】
本発明は、無線通信システムにおけるデータの伝送装置及びその伝送方法に関し、特に、データ伝送の信頼性を向上させることができる伝送装置及びその伝送方法に関する。
【背景技術】
【０００２】
高速度、高品質な無線データサービスに関して、信号歪みやノイズ等がない純粋な信号を受信することは、実際上、極めて困難である。上記した信号への負の影響は、無線通信システムにおける無線チャネル環境に起因する。無線通信システムにおいては、無線チャネル環境は、ホワイトノイズや、フェーディングにより引き起こされる信号電力変化、他の利用者による遮蔽や干渉、及び多チャネル信号のためにしばしば変化する。データをモバイル端末に受信する場合には、その負の影響は、モバイル端末の移動と頻繁な速度変化が原因で引き起こされるドップラー効果をさらに含む。
【０００３】
それにより、無線通信システムにおける信号伝送と受信に伴う信号歪みの影響やノイズの低減には大量の時間と資源を使ってきた。ここで、低信頼性且つ時間変動するチャネルを伴う通信システムに関する技術として、ＡＭＣＳ（Ａｄａｐｔｉｖｅ  Ｍｏｄｕｌａｔｉｏｎ  ａｎｄ  Ｃｏｄｉｎｇ  Ｓｃｈｅｍｅ；適応変調符号化技術）や、ＨＡＲＱ（Ｈｙｂｒｉｄ Ａｕｔｏｍａｔｉｃ Ｒｅｐｅａｔ  ｒｅｑｕｅｓｔ；ハイブリッド自動再送要求）が、一般的に知られている。
【０００４】
ＡＭＣＳは、下りリンクのチャネル環境の変動に応じて送信データの変調方式や符号化率を適応的に変化させる。下りリンクのチャネルの品質は、一般的には、ユーザ装置（ＵＥ：Ｕｓｅｒ  Ｅｑｕｉｐｍｅｎｔ）が受信した下りリンクの信号の信号対ノイズ比（ＳＮＲ：Ｓｉｇｎａｌ‐ｔｏ‐Ｎｏｉｓｅ  Ｒａｔｉｏ）の測定により評価される。ユーザ装置は、チャネルの品質情報を上りリンクを用いて基地局（ＢＳ：Ｂａｓｅ  Ｓｔａｔｉｏｎ）へフィードバックする。それから基地局は、このチャネル品質情報に基づいて下りリンクチャネル環境を評価し、下りリンクチャネル環境の評価に従って、チャネル符号器に適用する適切な変調方式と符号化率を決定する。
【０００５】
一方、ＨＡＲＱは、自動再送要求（ＡＲＱ）及び順方向誤り訂正（ＦＥＣ）を併用して初期に伝送されたデータパケットのエラーを補正するために使用される再伝送制御技法である。ＨＡＲＱを実行する方式としては、チェイス合成法（ＣＣ：Ｃｈａｓｅ  Ｃｏｍｂｉｎｉｎｇ）、全体的増加冗長法（ＦＩＲ：Ｆｕｌｌ  Ｉｎｃｒｅｍｅｎｔａｌ  Ｒｅｄｕｎｄａｎｃｙ）及び部分的増加冗長法（ＰＩＲ：ＰａｒｔｉａｌＩｎｃｒｅｍｅｎｔａｌ  Ｒｅｄｕｎｄａｎｃｙ）が含まれる。
【０００６】
図１は、典型的な高速無線データパケット通信システムに用いる伝送器及び受信器を示すブロック図である。図１に示すように、伝送器１００は、符号器１１０と、チャネルインターリーバー１２０と、変調器１３０とを含む。符号器１１０は、情報ビットを入力すると、所定の符号化率で情報ビットを符号化する。符号化率Ｒ（Ｒ＝ｎ／ｋ，ｎはｋに対し、素数である）が、例えば１／２または３／４で設定されている場合に、符号器１１０が、ｋ情報ビットの入力に対して、ｎ符号化されたビットを出力する。フェーディングチャネルにおいて頻繁に生じるバーストエラーは、インターリービングにより防止することができる。チャネルインターリーバー１２０は、エラー制御符号化の欠陥を克服し、バーストエラーが引き起したデータ損失を低減するために、同じ情報を有する符号化されたビットを分配するインターリービングを実行する。変調器１３０は、ＱＰＳＫ（４相位相偏移変調）、８ＰＳＫ（８相位相偏移変調）、１６ＱＡＭ（１６値直交振幅変調）、及び６４ＱＡＭ（６４値直交振幅変調）等のような所定の変調方式において、インターリーブされたビットを変調する。その変調されたデータは、通信チャネル１９０を介して伝送される。通信チャネル１９０は、典型的には、低信頼性且つ時間変動するチャネル環境にさらされる無線通信チャネルである。好ましくは、伝送器１００は、符号器１１０に対して符号化率を選択でき、また、変調器１３０に対して変調方式を選択できる制御器をさらに含む。
【０００７】
受信器１０１は、復号器１６０と、デインターリーバー１５０、及び復調器１４０を含む。復調器１４０は、受信されたデータを対応するビット領域配列に復調する。そして、デインターリーバー１５０は、インターリーバー１２０によって適用された入力ビット配列の所定の疑似ランダム置換、またはランダム置換を適用することによって、復調器１４０から伝送されたビット配列のデインターリービングを実行する。そして、復号器１６０は、情報ビットを出力するためにデインターリーブされたデータを複号する。
【０００８】
前述のように、変調器１３０は、インターリーブされたビットに対するＱＰＳＫ、８ＰＳＫ、１６ＱＡＭ及び６４ＱＡＭ等を含む様々な変調方式をサポートしている。変調器１３０においては、インターリーブされたデータは変調シンボルにマップされ、そのシンボルマッピングは、Ｘ軸に沿うＩチャネルとＹ軸に沿うＱチャネルとを備える二次元のシンボル信号点配置においてシンボル配置の指定を参照する。変調オーダーが増加するにつれて、１個の変調シンボルでのビットの数量も増加する。１個の変調シンボルにマップされたビットは、それらの位置によって異なる伝送信頼性を備える。伝送信頼性に関しては、Ｉ（Ｉｎ  Ｐｈａｓｅ；同位相）‐Ｑ（Ｑｕａｄｒａｔｕｒｅ  Ｐｈａｓｅ；直角位相）信号点配置において、左右及び上下により定義される巨視的な領域を示す変調シンボルの２つのビットは、比較的に高信頼性を有している。巨視的領域内の微小領域を示すその他のビットは、比較的に低信頼性を有する。
【０００９】
図２は、１６ＱＡＭの典型的な信号点配置を示す図である。図２に示すように、１個の１６ＱＡＭ変調シンボルは、１個の信頼性パターン［Ｈ，Ｌ，Ｈ，Ｌ］（Ｈは高信頼性を意味し、Ｌは低信頼性を意味する。）において４ビット［ａ３，ａ２，ａ１，ａ０］を含む。即ち、２ビット［ａ１，ａ３］は、比較的に高信頼性を有し、２ビット［ａ０，ａ２］は、比較的に低信頼性を有する。図３は、６４ＱＡＭの典型的な信号点配置を示す図である。図３に示すように、１個の６４ＱＡＭ変調シンボルは、１個の信頼性パターン［Ｈ，Ｍ，Ｌ，Ｈ，Ｍ，Ｌ］（Ｍは中信頼性を意味する。）において６ビット［ａ５，ａ４，ａ３，ａ２，ａ１，ａ０］を含む。
【００１０】
しかしながら、従来のＨＡＲＱにおいては、初期に伝送されるビットとそれらの再伝送ビットとも信頼性としては同一である。低信頼性である位置にマップされたビットは、再伝送においても低信頼性を有することとなる。また、高信頼性である位置にマップされたビットにも、同様のことが起こる。
【００１１】
ＩＥＥＥ８０２．１６標準によれば、順方向誤り訂正（ＦＥＣ）方式の１個は、デュオバイナリターボ符号であり、畳み込みターボ符号とも称する。図４は、従来のＣＴＣ符号器を示すブロック図である。図４に示すように、ＣＴＣ符号器４００は、ＣＴＣインターリーバー４１０と、第１要素符号器４２１と、第２要素符号器４２２とを含む。Ａコード及びＢコードを入力すると、ＣＴＣ符号器４００は、Ａコードと、Ｂコードと、Ｙ１コードと、Ｗ１コードと、Ｙ２コードと、Ｗ２コードといった６個のコード群を出力し、そのうち、Ａコード及びＢコードは、システマティック部分である。そのほかに、Ｙ１コードおよびＷ１コードは、第１要素符号器４２１により生成されたパリティ部分である。また、Ｙ２コード及びＷ２コードは、第２要素符号器４２２により生成されたパリティ部分である。
【００１２】
図５は、ＣＴＣ符号器の従来のチャネルインターリービング方式５００を示す概略図である。図５によれば、チャネルインターリーバーは、以下の操作を実行する。その操作とは、ビットセパレーション５１、サブブロックインターリービング５２、ビットグループ化５３、及びビット選択５４である。ビットセパレーション５１の操作において、ＣＴＣ符号器４００から出力された符号化されたビットは、順次に６個のサブブロックに分配される。その６個のサブブロックとしては、Ａコードサブブロック５５１と、Ｂコードサブブロック５５２と、Ｙ１コードサブブロック５５３と、Ｙ２コードサブブロック５５４と、Ｗ１コードサブブロック５５５と、Ｗ２コードサブブロック５５６とが含まれる。これらの６個のサブブロックは、サブブロックインターリービング５２の操作において、サブブロックインターリーバー５９１，５９２，５９３，５９４，５９５及び５９６にそれぞれ入力される。ビットグループ化５３において、インターリーブされたＡコードサブブロック及びＢコードサブブロックの配列は、ダイレクトにグループ化され、Ｙ１コードサブブロック及びＹ２コードサブブロックの配列は、ビット単位で多重化され、Ｗ１コードサブブロック及びＷ２コードサブブロックの配列は、ビット単位で多重化される。ビット選択５４において、グループ化されたビットは、サブブロックを生成するために連続的且つ循環的に選択され、変調器に供給される。
【発明の概要】
【発明が解決しようとする課題】
【００１３】
しかしながら、上記したチャネルインターリービング方式には、以下の短所がある。まず第１に、連続する符号化ビットが、信号点配置における同じレベルの信頼性を有するビット位置にマップされる。第２に、１６ＱＡＭを使用する場合であれば、サブブロックＹ１（Ｗ１）およびサブブロックＹ２（Ｗ２）が、図６に示すように、常に、より低い信頼性およびより高い信頼性のビット位置にそれぞれマップされることとなる。そして第３に、同じ情報ビットに相当するシステマティックビット及びパリティビットの信頼度分布が、単一ではない。
【００１４】
そのため、本発明の目的としては、無線通信システムにおいて、最初の伝送または再伝送における信頼性を向上させることができる伝送装置及びその伝送方法を提供することである。
【課題を解決するための手段】
【００１５】
本発明の目的は、無線通信システムの伝送器におけるデータの再伝送のための以下の伝送方法を提供することによって達成される。その伝送方法は、ＱＡＭ信号点配置パターンにマップされた第１のデータを伝送する最初の伝送ステップと、ＱＡＭ信号点配置パターンにマップされた第２のデータを再伝送する再伝送ステップとを含む。ここで、第２のデータは、第１のデータの反転である。
【００１６】
また、本発明の目的は、無線通信システムの伝送器におけるデータの再伝送のための以下の伝送方法を提供することによって達成される。その伝送方法は、１６ＱＡＭ信号点配置パターンにマップされたビット配列（ｂ３，ｂ２，ｂ１，ｂ０）を伝送する最初の伝送ステップと、再伝送要求を受信すると、再配列されたビット配列（ｂ２，ｂ３，ｂ０，ｂ１）を生成するために、ｂ３及びｂ１を、ｂ２及びｂ０とスワップすることにより再配列を実行するステップと、１６ＱＡＭ信号点配置パターンにマップされた再配列されたビット配列（ｂ２，ｂ３，ｂ０，ｂ１）を再伝送する再伝送ステップとを含む。
【００１７】
また、本発明の目的は、無線通信システムの伝送器におけるデータの再伝送のための以下の伝送方法を提供することによって達成される。その伝送方法は、６４ＱＡＭ信号点配置パターンにマップされたビット配列（ｂ５，ｂ４，ｂ３，ｂ２，ｂ１，ｂ０）を伝送する最初の伝送ステップと、再伝送要求を受信すると、再配列されたビット配列（ｂ４，ｂ５，ｂ２，ｂ３，ｂ０，ｂ１）を生成するために、ｂ５、ｂ３及びｂ１を、ｂ４、ｂ２、及びｂ０とスワップすることにより再配列を実行するステップと、６４ＱＡＭ信号点配置パターンにマップされた再配列されたビット配列（ｂ４，ｂ５，ｂ２，ｂ３，ｂ０，ｂ１）を再伝送する再伝送ステップとを含む。
【００１８】
また、本発明の目的は、無線通信システムの伝送器におけるデータの再伝送のための以下の伝送方法を提供することによって達成される。その伝送方法は、６４ＱＡＭ信号点配置パターンにマップされたビット配列（ｂ５，ｂ４，ｂ３，ｂ２，ｂ１，ｂ０）を伝送する最初の伝送ステップと、再伝送要求を受信すると、再配列されたビット配列（ｂ３，ｂ４，ｂ５，ｂ０，ｂ１，ｂ２）を生成するために、ｂ５及びｂ２を、ｂ３及びｂ０とスワップすることにより再配列を実行するステップと、６４ＱＡＭ信号点配置パターンにマップされた再配列されたビット配列（ｂ３，ｂ４，ｂ５，ｂ０，ｂ１，ｂ２）を再伝送する再伝送ステップとを含む。
【００１９】
また、本発明の目的は、無線通信システムにおけるデータの再伝送可能な以下の伝送装置を提供することによって達成される。その伝送装置は、符号器と、チャネルインターリーバーと、変調器と、伝送器とを含む。符号器は、入力データを符号化し、符号化されたビットを出力することができる。チャネルインターリーバーは、インターリーブされたビットを生成するために、符号化されたビットをインターリーブし、受信器から再伝送要求を受信すると、インターリーブされたビットを反転することができる。変調器は、反転されたビットを所定の変調方式における変調シンボルにマップさせることができる。
【００２０】
また、本発明の目的は、無線通信システムにおけるデータの再伝送可能な以下の伝送装置を提供することによって達成される。その伝送装置は、符号器と、チャネルインターリーバーと、ビットスワップユニットと、変調器と、伝送器とを含む。符号器は、入力データを符号化し、符号化されたビットを出力することができる。チャネルインターリーバーは、インターリーブされたビットを生成するために、符号化されたビットをインターリーブすることができる。ビットスワップユニットは、受信器から再伝送要求を受信すると、インターリーブされたビットをスワップすることができる。変調器は、スワップされたビットを所定の変調方式における変調シンボルにマップさせることができる。伝送器は、その変調シンボルを受信器に伝送することができる。
【００２１】
また、本発明の目的は、以下の伝送方法を提供することによって達成される。その伝送方法は、第１の符号化されたビットを備える符号化されたデータを生成するために、入力データを符号化するステップと、第１のインターリーブされたビットを生成するために、第１の符号化されたビットをインターリーブするステップと、処理されたビットを生成するために、第１の符号化されたビットを部分的にスワップするステップと、インターリーブされたビットを所定の変調方式における変調シンボルにマップさせるステップと、変調シンボルを伝送するステップとを含む。
【００２２】
また、本発明の目的は、以下の伝送装置を提供することによって達成される。その伝送装置は、符号器と、チャネルインターリーバーと、部分スワップユニットと、変調器と、伝送器とを含む。符号器は、第１の符号化されたビット及び第２の符号化されたビットを生成するために、入力データを符号化することができる。チャネルインターリーバーは、第１のインターリーブされた符号化ビット及び第２のインターリーブされた符号化ビットを生成するために、第１の符号化されたビット及び第２の符号されたビットをインターリーブすることができる。部分スワップユニットは、部分的にスワップされた第１のインターリーブされた符号化ビットを生成するために、第１のインターリーブされた符号化ビットを部分的にスワップし、処理されたビットを生成するために、部分的にスワップされた第１のインターリーブされた符号化ビットと、第２のインターリーブされた符号化ビットとを合成することができる。変調器は、処理されたビットを所定の変調方式における変調シンボルにマップさせることができる。伝送器は、その変調シンボルを伝送することができる。
【００２３】
また、本発明の目的は、以下の伝送方法を提供することによって達成される。その伝送方法は、第１の符号化されたビット及び第２の符号化されたビットを生成するために入力データを符号化するステップと、処理されたビットを形成するために、第１の符号化されたビットと、第２の符号化されたビットとを、Ｎ（Ｎは１より大きい整数）ビット毎に多重化させるステップと、その処理されたビットを所定の変調方式における変調シンボルにマップさせるステップと、その変調シンボルを伝送するステップとを含む。
【００２４】
また、本発明の目的は、以下の伝送装置を提供することによって達成される。その伝送装置は、符号器と、チャネルインターリーバーと、変調器と、伝送器とを含む。符号器は、第１の符号化されたビット及び第２の符号化されたビットを生成するために、入力データを符号化することができる。チャネルインターリーバーは、第１のインターリーブされた符号化ビット及び第２のインターリーブされた符号化ビットを生成するために、第１の符号化されたビット及び第２の符号されたビットをインターリーブし、処理されたビットを形成するために、第１のインターリーブされた符号化ビットと、第２のインターリーブされた符号化ビットとを、Ｎ（Ｎは１より大きい整数）ビット毎に多重化させることができる。変調器は、処理されたビットを所定の変調方式における変調シンボルにマップさせることができる。伝送器は、その変調シンボルを伝送することができる。
【００２５】
以下の添付図面は、本発明のさらなる理解のために添付されたものであり、本発明に係る実施例を示す。この図面と、以下の説明とによって、本発明の原理を説明する。
【図面の簡単な説明】
【００２６】
【図１】従来の典型的な伝送器及び受信器を示すブロック図である。
【図２】１６ＱＡＭの典型的な信号点配置を示す図である。
【図３】６４ＱＡＭの典型的な信号点配置を示す図である。
【図４】従来のＣＴＣ符号器を示すブロック図である。
【図５】ＣＴＣ符号器の従来のチャネルインターリービング方式を示す概略図である。
【図６】従来のチャネルインターリービング方式における１６ＱＡＭのコードビットの信頼性を示す概略図である。
【図７】本発明に係る第１の実施例の伝送方法を示すフローチャートである。
【図８】本発明に係る第２の実施例の伝送方法を示すフローチャートである。
【図９】本発明に係るビットスワップ方式の具体的な代表例を示す図である。
【図１０】本発明に係る第１の実施例の伝送装置を示すブロック図である。
【図１１】本発明に係る第３の実施例の伝送方法を示すフローチャートである。
【図１２】本発明に係る伝送方法の多重化方式の第１の具体的な代表例を示す図である。
【図１３】本発明に係る伝送方法の多重化方式の第２の具体的な代表例を示す図である。
【図１４】本発明に係る伝送方法の多重化方式の第３の具体的な代表例を示す図である。
【図１５】本発明に係る伝送方法の多重化方式の第４の具体的な代表例を示す図である。
【図１６】本発明に係る第４の実施例の伝送方法を示すフローチャートである。
【図１７】本発明に係る伝送方法の部分スワッピング方式を示す概略図である。
【図１８】ＣＴＣ符号器に適用された本発明に係る部分スワッピング方式の具体的な代表例を示す図である。
【図１９】本発明に係る伝送方法の第５の実施例を示すフローチャートである。
【図２０】ＣＴＣ符号器に適用された伝送方法の具体的な代表例を示す図である。
【図２１】本発明に係る伝送装置の第２の実施例を示すブロック図である。
【発明を実施するための形態】
【００２７】
本発明の以下の詳細な説明では、当該詳細な説明の一部を構成する添付図面が参照され、これら図面は、本発明の特定の実施例を示すものである。本発明の範囲から逸脱することなく、他の実施例を実施すること、機械的、電気的な変更及び手順の変更を加えることが可能であることが、当業者によって理解されるべきである。また、可能な限り、同じ符号により各添付図面における同じ部品あるいは近似部品を参照する。
【実施例１】
【００２８】
図７は、本発明に係る第１の実施例の伝送方法を示すフローチャートである。本発明の第１の実施例には、以下のステップが含まれる。ステップ７０１は、ＱＡＭ信号点配置パターンにマップされた第１のデータを伝送する最初の伝送ステップである。そしてステップ７０２として、再伝送ステップにおいて、第１のデータの反転である第２のデータが、ＱＡＭ信号点配置パターンにマップされ、再伝送される。なお、そのＱＡＭ信号点配置パターンが、１６ＱＡＭ信号点配置パターンであると共に、第１のデータは、ビット配列（ｂ３，ｂ２，ｂ１，ｂ０）であり、第２のデータは、ビット配列（ｂ０，ｂ１，ｂ２，ｂ３）であることが好ましい。１６ＱＡＭ信号点配置パターンの変調シンボルが４ビット［ａ３，ａ２，ａ１，ａ０］を含み、ビット［ａ３，ａ１］が高信頼性を有すると共に、ビット［ａ２，ａ０］が低信頼性を有するとき、最初の伝送において１６ＱＡＭ信号点配置パターンにおける低信頼性の位置にマップされたビット［ｂ２，ｂ０］のデータは、再伝送において高信頼性の位置にマップされることが可能となる。
【００２９】
また、ＱＡＭ信号点配置パターンが、６４ＱＡＭ信号点配置パターンであり、第１のデータは、ビット配列（ｂ５，ｂ４，ｂ３，ｂ２，ｂ１，ｂ０）であり、第２のデータは、ビット配列（ｂ０，ｂ１，ｂ２，ｂ３，ｂ４，ｂ５）であることが好ましい。６４ＱＡＭ信号点配置パターンの変調シンボルが６ビット［ａ５，ａ４，ａ３，ａ２，ａ１，ａ０］を含み、ビット［ａ５，ａ２］が高信頼性を有し、ビット［ａ４，ａ１］が中信頼性を有し、ビット［ａ３，ａ０］が低信頼性を有するとき、最初の伝送において６４ＱＡＭ信号点配置パターンにおける低信頼性の位置にマップされたビット［ｂ３，ｂ０］のデータは、再伝送において高信頼性の位置にマップされることが可能となる。従って、データの再伝送の信頼性を有効に改善できる。
【実施例２】
【００３０】
図８は、本発明に係る第２の実施例の伝送方法を示すフローチャートである。図８に示すように、この第２の実施例には、以下のステップが含まれる。ステップ７１１として、ＱＡＭ信号点配置パターンにマップされたビット配列を最初の伝送において伝送する。そして、ステップ７１２において、受信器からの再伝送要求が受信されたかどうかを判断する。再伝送要求が受信された場合に、ステップ７１３に進んで、再配列されたビット配列を生成するために、ビット配列をスワップすることにより再配列を実行する。それからステップ７１４に進んで、再伝送ステップにおいて、ＱＡＭ信号点配置パターンにマップされた再配列されたビット配列を伝送する。
【００３１】
図９は、本発明に係るビットスワップ方式の具体的な代表例を示す図である。図９の具体的な代表例（Ａ）に示すように、１６ＱＡＭ信号点配置パターンにおいて、ビット配列７２１（ｂ３，ｂ２，ｂ１，ｂ０）は、ステップ７１３において、ｂ３及びｂ１を、ｂ２及びｂ０とスワップすることにより再配列され、ビット配列７２２（ｂ２，ｂ３，ｂ０，ｂ１）が生成される。
【００３２】
図９の具体的な代表例（Ｂ）に示すように、６４ＱＡＭ信号点配置パターンにおいて、ビット配列７２３（ｂ５，ｂ４，ｂ３，ｂ２，ｂ１，ｂ０）は、ステップ７１３において、ｂ５、ｂ３、及びｂ１を、ｂ４、ｂ２、及びｂ０とスワップすることにより再配列され、ビット配列７２４（ｂ４，ｂ５，ｂ２，ｂ３，ｂ０，ｂ１）が生成される。また、図９の具体的な代表例（Ｃ）に示すように、他の代表例においては、ビット配列７２３（ｂ５，ｂ４，ｂ３，ｂ２，ｂ１，ｂ０）は、ステップ７１３において、ｂ５及びｂ２を、ｂ３及びｂ０とスワップすることにより再配列され、ビット配列７２５（ｂ３，ｂ４，ｂ５，ｂ０，ｂ１，ｂ２）が生成される。
【００３３】
再配列は、ビット配列を反転することにより実行されることが好ましい。即ち、図９の具体的な代表例（Ｄ）に示すように、再配列されたビット配列７２７（ｂ０，ｂ１，・・・，ｂＬ−２，ｂＬ−１，ｂＬ）は、ビット配列７２６（ｂＬ，ｂＬ−１，ｂＬ−２，・・・，ｂ１，ｂ０）の反転である。但し、Ｌは２より大きい正の整数である。
【００３４】
図１０は、本発明に係る第１の実施例の伝送装置を示すブロック図である。伝送装置７３０は、符号器７３１と、チャネルインターリーバー７３２と、ビットスワップユニット７３３と、変調器７３４と、伝送器７３５とを含む。符号器７３１は、入力データ７４１を符号化することが可能であり、符号化されたビット７４２を出力する。チャネルインターリーバー７３２は、インターリーブされたビット７４３を生成するために、符号化されたビット７４２をインターリーブすることができる。最初の伝送において、変調器７３４は、インターリーブされたビット７４３を所定の変調方式における変調シンボル７４４にマップすることができる。そして、変調シンボル７４４は、伝送器７３５によって伝送される。
【００３５】
伝送装置７３０が、受信器からの再伝送要求７４９を受信すると、ビットスワップユニット７３３は、インターリーブされたビット７４３をスワップしてビット７４５を生成する。そして、変調器７３４は、スワップされたビット７４５を所定の変調方式における変調シンボル７４４にマップさせる。それから、伝送器７３５は、その変調シンボル７４４を受信器に伝送する。上記所定の変調方式は、１６ＱＡＭ変調方式、または６４ＱＡＭ変調方式であることが好ましい。ビットスワップユニット７３３により実行されるビットスワップ方式については、上記と同様であるため、詳しい説明を省略する。好ましくは、ビットスワップユニット７３３は、チャネルインターリーバー７３２内において実行され、ビットスワップ方式も、チャネルインターリーバー７３２により実行される。
【実施例３】
【００３６】
図１１は、本発明に係る第３の実施例の伝送方法を示すフローチャートである。この第３の実施例には、以下のステップが含まれる。ステップ８０１において、第１の符号化されたビットおよび第２の符号化されたビットを備える符号化されたデータを生成するために、入力データを符号化する。ステップ８０２において、インターリーブされたビットを形成するために、第１の符号化されたビットと、第２の符号化されたビットとを、Ｎビット毎に多重化させる。但し、Ｎは１より大きい整数である。ステップ８０３において、インターリーブされたビットを所定の変調方式における変調シンボルにマップさせる。そして、ステップ８０４において、変調シンボルは伝送される。なお、所定の変調方式が１６ＱＡＭである場合は、Ｎは２または６であることが好ましい。また、所定の変調方式が６４ＱＡＭである場合は、Ｎは３または６であることが好ましい。
【００３７】
図１２は、本発明に係る伝送方法の多重化方式の第１の具体的な代表例を示す図である。図１２においては、ＣＴＣ符号器に以下のような多重化方式が適用されている。即ち、Ｙ１コードに相当し、サブブロックインターリーバー５９３から出力されたデータと、Ｙ２コードに相当し、サブブロックインターリーバー５９４から出力されたデータとが、６ビット毎に多重化される。同様に、Ｗ１コードに相当し、サブブロックインターリーバー５９５から出力されたデータと、Ｗ２コードに相当し、サブブロックインターリーバー５９６から出力されたデータとが、６ビット毎に多重化される。その結果、本発明の多重化方式においては、Ｙ１コード、Ｙ２コード、Ｗ１コード、及びＷ２コードは、１６ＱＡＭ変調方式または６４ＱＡＭ変調方式における伝送において、より均一な信頼性を得ることができる。
【００３８】
図１３は、本発明に係る伝送方法の多重化方式の第２の具体的な代表例を示す図である。この体表例においては、Ａコードに相当し、サブブロックインターリーバー５９１から出力されたデータと、Ｂコードに相当し、サブブロックインターリーバー５９２から出力されたデータとが、６ビット毎に多重化される。それにより、システマティックビット（ＡコードとＢコード）及びパリティビット（Ｙ１コード、Ｙ２コード、Ｗ１コード、及びＷ２コード）が、伝送において、より均一な信頼性を得ることができる。
【００３９】
図１４は、本発明に係る伝送方法の多重化方式の第３の具体的な代表例を示す図である。図１４においては、ＣＴＣ符号器に以下のような多重化方式が適用されている。即ち、Ｙ１コードに相当し、サブブロックインターリーバー５９３から出力されたデータと、Ｙ２コードに相当し、サブブロックインターリーバー５９４から出力されたデータとが、２ビット毎に多重化される。同様に、Ｗ１コードに相当し、サブブロックインターリーバー５９５から出力されたデータと、Ｗ２コードに相当し、サブブロックインターリーバー５９６から出力されたデータとが、２ビット毎に多重化される。その結果、本発明の多重化方式においては、Ｙ１コード、Ｙ２コード、Ｗ１コード、及びＷ２コードは、１６ＱＡＭ変調方式における伝送において、より均一な信頼性を得ることができる。
【００４０】
図１５は、本発明に係る伝送方法の多重化方式の第４の具体的な代表例を示す図である。図１５においては、ＣＴＣ符号器に以下のような多重化方式が適用されている。即ち、Ｙ１コードに相当し、サブブロックインターリーバー５９３から出力されたデータと、Ｙ２コードに相当し、サブブロックインターリーバー５９４から出力されたデータとが、３ビット毎に多重化される。同様に、Ｗ１コードに相当し、サブブロックインターリーバー５９５から出力されたデータと、Ｗ２コードに相当し、サブブロックインターリーバー５９６から出力されたデータとが、３ビット毎に多重化される。その結果、本発明の多重化方式においては、Ｙ１コード、Ｙ２コード、Ｗ１コード、及びＷ２コードは、６４ＱＡＭ変調方式における伝送において、より均一な信頼性を得ることができる。
【００４１】
好ましくは、Ａコードに相当し、サブブロックインターリーバー５９１から出力されたデータと、Ｂコードに相当し、サブブロックインターリーバー５９２から出力されたデータとは、必要に応じて、２ビットまたは３ビット毎に多重化される。
【実施例４】
【００４２】
図１６は、本発明に係る第４の実施例の伝送方法を示すフローチャートであり、図１７は、本発明に係る伝送方法の部分スワッピング方式を示す概略図である。図１６に示すように、この第４の実施例には、以下のステップが含まれる。ステップ９００において、第１の符号化されたビットを備える符号化されたデータを生成するために、入力データを符号化する。ステップ９０１において、第１のインターリーブされたビットを生成するために、第１の符号化されたビットをインターリーブする。そうすると、図１７に示すように、インターリーブされたビット９１０が生成される。ステップ９０２において、処理されたビットを生成するために、第１の符号化されたビットを部分的にスワップする。そうすると、図１７に示すように、処理されたビット９１３が生成される。ステップ９０３において、処理されたビットを所定の変調方式における変調シンボルにマップさせ、そしてステップ９０４において、その変調シンボルを伝送する。ステップ９０２には、さらに以下のステップ９０２ａ、９０２ｂ、及び９０２ｃが含まれることが好ましい。ステップ９０２ａにおいて、第１の符号化されたビットを、第１のビット分配と第２のビット分配とに分割する。図１７に示すように、ビット分配９１１およびビット分配９１２は、それぞれ上記の第１のビット分配および第２のビット分配として参照される。第１のビット分配と第２のビット分配との比は、ｍ：ｎとなる。但し、ｍ及びｎは、０以上の整数であり、例えばこの比は、１：０、１：１、または１：２等となる。
【００４３】
ステップ９０２ｂにおいて、スワップされた第２のビット分配を生成するために、所定のスワッピングパターンに基づいて、第２のビット分配のビットをスワップする。ステップ９０２ｃにおいて、処理されたビットを形成するために、第１のビット分配と、スワップされた第２のビット分配とを合成する。
【００４４】
符号化されたデータが第２の符号化されたビットを備える場合には、この実施例は、さらに、第２のインターリーブされたビットを生成するために、第２の符号化されたビットをインターリーブするステップと、処理されたビットを形成するために、部分的にスワップされた第１の符号化されたビットと、第２のインターリーブされたビットとを、所定の多重化パターンに基づいて合成するステップとを含んでもよい。そして、図１７に示すように、処理されたビット９２３が生成される。
【００４５】
好ましくは、部分的にスワップされた第２の符号化されたビットを生成するために、第２のインターリーブされたビットを必要に応じて部分的にスワップする。また、処理されたビットを形成するために、部分的にスワップされた第１の符号化されたビットと、部分的にスワップされた第２の符号化されたビットとを、所定の多重化パターンに基づいて合成する。例えば、所定のスワッピングパターンに基づいて、インターリーブされたビット９３０のビット分配９３１に対してビットスワップを実行する。そして、処理されたビットを生成させるために、部分的にスワップしたインターリーブされた符号化ビット９１０及び９３０を、所定の多重化パターンに基づいて合成する。ここで、図１７においては、理解の容易のために、ビットスワップが実行されたビット分配を、斜線で描かれたビット分配として示す。
【００４６】
また、好ましくは、ビットスワップが実行されるビット分配は、再伝送時に変更される。例えば、受信器から再伝送要求を受信した場合に、第１のビット分配のビットを所定のスワッピングパターンに基づいてスワップする。そして、処理されたビットを形成するために、スワップされた第１のビット分配と、第２のビット分配とを、所定の多重化パターンに基づいて合成する。そこで、処理されたビットは、所定の変調方式における変調シンボルにマップされる。それから、変調シンボルを受信器に再伝送する。
【００４７】
図１８は、ＣＴＣ符号器に適用された本発明に係る部分スワッピング方式の具体的な代表例を示す図である。Ａ’コード、Ｂ’コード、Ｙ１’コード、Ｙ２’コード、Ｗ１’コード、及びＷ２’コードは、それぞれ、インターリーブされたＡコード、Ｂコード、Ｙ１コード、Ｙ２コード、Ｗ１コード、及びＷ２コードを表している。斜線で描かれたブロックは、ビットスワップが実行されたビット分配を表している。（Ａ）方式、および（Ｂ）方式は、二種類の部分スワッピング方式である。Ａ’コード、Ｂ’コード、Ｙ１’コード、Ｙ２’コード、Ｗ１’コード、及びＷ２’コードのスワップされたビット分配の位置は、その二種類の具体的な代表例において異なる。そのため、これらの二つの方式は、それぞれ最初の伝送及び再伝送に適用されてもよい。
【００４８】
ここで、上記した伝送方法の四つの実施例において説明したビット反転方式と、ビットスワッピング方式と、ビット部分スワッピング方式と、多重化方式とは、必要に応じて、より優れた効果を得るために併用されてもよい。図１９は、本発明に係る伝送方法の第５の実施例を示すフローチャートである。まず、ステップ９４１において、第１の符号化されたビットと、第２の符号化されたビットとを生成するために、入力データを符号化する。そして、ステップ９４２において、第１のインターリーブされた符号化ビット及び第２のインターリーブされた符号化ビットを生成するために、上記第１の符号化されたビット及び第２の符号されたビットをそれぞれインターリーブする。それから、ステップ９４３において、第１のインターリーブされた符号化ビット及び第２のインターリーブされた符号化ビットを、それぞれ部分的にスワップする。ステップ９４４において、処理されたビットを生成するために、部分的にスワップされた第１のインターリーブされた符号化ビットと、部分的にスワップされた第２のインターリーブされた符号化ビットとを、所定の多重化パターンに基づいて合成する。上記処理されたビットは、さらなる伝送のために、ステップ９４５において、所定の変調方式における変調シンボルにマップされる。
【００４９】
図２０は、ＣＴＣ符号器に適用された伝送方法の具体的な代表例を示す図である。図２０において、ＣＴＣ符号器より出力されたビット配列を、Ａコードと、Ｂコードと、Ｙ１コードと、Ｙ２コードと、Ｗ１コードと、Ｗ２コードとに分割する。そのうち、Ａコード及びＢコードは、システマティックビットであり、Ｙ１コード、Ｙ２コード、Ｗ１コード、及びＷ２コードは、パリティビットである。Ａコード、Ｂコード、Ｙ１コード、Ｙ２コード、Ｗ１コード、及びＷ２コードは、サブブロックインターリーバー５９１、５９２、５９３、５９４、５９５、及び５９６に、インターリービングのために供給される。そして、インターリーブされたコードに、部分的にスワップを実行する。斜線で描かれたブロックは、ビットスワップが実行されたビット分配を示す。ここで、ビットスワップ方式としては、例えば、図９の具体的な代表例（Ａ）に示すようなビットスワップ方式が挙げられる。斜線で描かれたブロックにおいては、第１のビットが第３のビットとスワップされ、第４のビットが第６のビットとスワップされ、第７のビットが第９のビットとスワップされる。そして、このようなスワッピング規則は、さらに他のビットに対しても連続的に繰り返して実行される。部分的にスワップされたインターリーブされたビット９６１及び９６２は、処理されたビット９７１及び９７２としてダイレクトにマップされる。部分的にスワップされたインターリーブされたビット９６３及び９６４は、処理されたビット９７３を形成するために、図１５に示す多重化方式に基づいて多重化される。同様に、部分的にスワップされたインターリーブされたビット９６５及び９６６は、処理されたビット９７４を形成するために、図１５に示す多重化方式に基づいて多重化される。
【００５０】
図２１は、本発明に係る伝送装置の第２の実施例を示すブロック図である。伝送装置９９０は、符号器７３１と、チャネルインターリーバー９９１と、変調器７３４と、伝送器７３５とを含む。チャネルインターリーバー９９１は、サブブロックインターリーバー９９２と、部分スワップユニット９９３と、多重化ユニット９９４とをさらに含む。符号器７３１は、符号化されたビット７４２を生成するために、入力データ７４１を符号化することができる。サブブロックインターリーバー９９２は、符号されたビット７４２をインターリーブすることができる。部分スワップユニット９９３は、比例値９９３２に基づいて、ビットスワップするためのビット分配の位置を決定する。そして、部分スワップユニット９９３は、サブブロックインターリーバー９９２より出力されたインターリーブされた符号化ビットに対し、所定のスワッピングパターン９９３１に基づいて、部分的にスワップを実行する。処理されたビット９９４２を生成するために、多重化ユニット９９４は、所定の多重化パターン９９４１に基づいて、部分スワップユニット９９３より出力されたビットを多重化することができる。変調器７３４は、処理されたビット９９４２を所定の変調方式における変調シンボルにマップさせることができる。そして、伝送器７３５は、その変調シンボルを遠隔の受信器に伝送することができる。
【００５１】
以上、本発明に関して、特定の好ましい実施例を参照して説明したが、添付した特許請求の範囲により定義されているように、本発明の理念及び範囲から逸脱することなく、形状及び細部において種々の変更を加えることが可能であることが、当業者により理解されるべきであろう。
【符号の説明】
【００５２】
１００  伝送器、１０１  受信器、１１０，７３１  符号器、１２０，７３２，９９１  チャネルインターリーバー、１３０，７３４  変調器、１４０  復調器、１５０  デインターリーバー、１６０  復号器、１９０  通信チャネル、４００  ＣＴＣ符号器、４１０  ＣＴＣインターリーバー、４２１  第１要素符号器、４２２  第２要素符号器、５００  ＣＴＣ符号器の従来のチャネルインターリービング方式、５１，５２，５３，５４，７０１，７０２，７１１，７１２，７１３，７１４，８０１，８０２，８０３，８０４，９００，９０１，９０２，９０２ａ，９０２ｂ，９０２ｃ，９０４，９４１，９４２，９４３，９４４，９４５  作業ステップ、５５１，５５２，５５３，５５４，５５５，５５６  コードサブブロック、５６１，５６２，５６３，５６４  ビットグループ、５９１，５９２，５９３，５９４，５９５，５９６，９９２  サブブロックインターリーバー、７２１，７２３，７２６  ビット配列、７２２，７２４，７２５，７２７  再配列されたビット配列、７３０，９９０  伝送装置、７３３  ビットスワップユニット、７３５  伝送器、７４１  入力データ、７４２  符号化されたビット、７４３，９１０，９３０  インターリーブされたビット、７４４  変調シンボル、７４５  スワップされたビット、７４９  再伝送要求、９１１，９１２，９３１，９３２  ビット分配、９１３，９２３，９３３，９７１，９７２，９７３，９７４，９９４２  処理されたビット、９６１，９６２，９６３，９６４，９６５，９６６  部分的にスワップされたインターリーブされたビット、９９３  部分スワップユニット、９９３１  スワッピングパターン、９９３２  比例値、９９４  多重化ユニット、９９４１  多重化パターン。
【図１】
2010206797.tif 000003
【図２】
2010206797.tif 000004
【図３】
2010206797.tif 000005
【図４】
2010206797.tif 000006
【図５】
2010206797.tif 000007
【図６】
2010206797.tif 000008
【図７】
2010206797.tif 000009
【図８】
2010206797.tif 000010
【図９】
2010206797.tif 000011
【図１０】
2010206797.tif 000012
【図１１】
2010206797.tif 000013
【図１２】
2010206797.tif 000014
【図１３】
2010206797.tif 000015
【図１４】
2010206797.tif 000016
【図１５】
2010206797.tif 000017
【図１６】
2010206797.tif 000018
【図１７】
2010206797.tif 000019
【図１８】
2010206797.tif 000020
【図１９】
2010206797.tif 000021
【図２０】
2010206797.tif 000022
【図２１】
2010206797.tif 000023
【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
ＱＡＭ信号点配置パターンにマップされた第１のデータを伝送する最初の伝送ステップと、
前記ＱＡＭ信号点配置パターンにマップされた第２のデータを再伝送する再伝送ステップと、を含み、
前記第２のデータは、前記第１のデータの反転である、無線通信システムの伝送器におけるデータの再伝送のための伝送方法。
【請求項２】
前記ＱＡＭ信号点配置パターンは、１６ＱＡＭ信号点配置パターンであり、前記第１のデータは、ビット配列（ｂ３，ｂ２，ｂ１，ｂ０）であり、前記第２のデータは、ビット配列（ｂ０，ｂ１，ｂ２，ｂ３）である、請求項１に記載の伝送方法。
【請求項３】
前記１６ＱＡＭ信号点配置パターンの変調シンボルは、４ビット［ａ３，ａ２，ａ１，ａ０］を含み、前記ビット［ａ３，ａ１］は、高信頼性を有し、前記ビット［ａ２，ａ０］は、低信頼性を有する、請求項２に記載の伝送方法。
【請求項４】
前記ＱＡＭ信号点配置パターンは、６４ＱＡＭ信号点配置パターンであり、前記第１のデータは、ビット配列（ｂ５，ｂ４，ｂ３，ｂ２，ｂ１，ｂ０）であり、前記第２のデータは、ビット配列（ｂ０，ｂ１，ｂ２，ｂ３，ｂ４，ｂ５）である、請求項１に記載の伝送方法。
【請求項５】
前記６４ＱＡＭ信号点配置パターンの変調シンボルは、６ビット［ａ５，ａ４，ａ３，ａ２，ａ１，ａ０］を含み、前記ビット［ａ５，ａ２］は、高信頼性を有し、前記ビット［ａ４，ａ１］は、中信頼性を有し、前記ビット［ａ３，ａ０］は、低信頼性を有する、請求項４に記載の伝送方法。
【請求項６】
前記最初の伝送ステップにおいて、前記第１のデータを前記ＱＡＭ信号点配置パターンに基づいて第１の変調シンボルにマップさせ、前記第１の変調シンボルを伝送するステップと、
前記第２のデータを得るために前記第１のデータを反転するステップと、
前記再伝送ステップにおいて、前記第２のデータを前記ＱＡＭ信号点配置パターンに基づいて第２の変調シンボルにマップさせ、前記第２の変調シンボルを伝送するステップと、をさらに含む、請求項１に記載の伝送方法。
【請求項７】
１６ＱＡＭ信号点配置パターンにマップされたビット配列（ｂ３，ｂ２，ｂ１，ｂ０）を伝送する最初の伝送ステップと、
再伝送要求を受信すると、再配列されたビット配列（ｂ２，ｂ３，ｂ０，ｂ１）を生成するために、ｂ３及びｂ１を、ｂ２及びｂ０とスワップすることにより再配列を実行するステップと、
前記１６ＱＡＭ信号点配置パターンにマップされた前記再配列されたビット配列（ｂ２，ｂ３，ｂ０，ｂ１）を再伝送する再伝送ステップと、を含む、無線通信システムの伝送器におけるデータの再伝送のための伝送方法。
【請求項８】
６４ＱＡＭ信号点配置パターンにマップされたビット配列（ｂ５，ｂ４，ｂ３，ｂ２，ｂ１，ｂ０）を伝送する最初の伝送ステップと、
再伝送要求を受信すると、再配列されたビット配列（ｂ４，ｂ５，ｂ２，ｂ３，ｂ０，ｂ１）を生成するために、ｂ５、ｂ３及びｂ１を、ｂ４、ｂ２、及びｂ０とスワップすることにより再配列を実行するステップと、
前記６４ＱＡＭ信号点配置パターンにマップされた前記再配列されたビット配列（ｂ４，ｂ５，ｂ２，ｂ３，ｂ０，ｂ１）を再伝送する再伝送ステップと、を含む、無線通信システムの伝送器におけるデータの再伝送のための伝送方法。
【請求項９】
６４ＱＡＭ信号点配置パターンにマップされたビット配列（ｂ５，ｂ４，ｂ３，ｂ２，ｂ１，ｂ０）を伝送する最初の伝送ステップと、
再伝送要求を受信すると、再配列されたビット配列（ｂ３，ｂ４，ｂ５，ｂ０，ｂ１，ｂ２）を生成するために、ｂ５及びｂ２を、ｂ３及びｂ０とスワップすることにより再配列を実行するステップと、
前記６４ＱＡＭ信号点配置パターンにマップされた前記再配列されたビット配列（ｂ３，ｂ４，ｂ５，ｂ０，ｂ１，ｂ２）を再伝送する再伝送ステップと、を含む、無線通信システムの伝送器におけるデータの再伝送のための伝送方法。
【請求項１０】
入力データを符号化し、符号化されたビットを出力することが可能な符号器と、
インターリーブされたビットを生成するために符号化されたビットをインターリーブし、受信器から再伝送要求を受信すると、前記インターリーブされたビットを反転し、反転されたビットを生成することが可能なチャネルインターリーバーと、
前記反転されたビットを所定の変調方式における変調シンボルにマップすることが可能な変調器と、
前記変調シンボルを前記受信器に伝送可能な伝送器と、を含む、無線通信システムにおけるデータの再伝送が可能な伝送装置。
【請求項１１】
入力データを符号化し、符号化されたビットを出力することが可能な符号器と、
インターリーブされたビットを生成するために符号化されたビットをインターリーブすることが可能なチャネルインターリーバーと、
受信器から再伝送要求を受信すると、スワップされたビットを生成するために前記インターリーブされたビットをスワップすることが可能なビットスワップユニットと、
前記スワップされたビットを所定の変調方式における変調シンボルにマップすることが可能な変調器と、
前記変調シンボルを前記受信器に伝送可能な伝送器と、を含む、無線通信システムにおけるデータの再伝送が可能な伝送装置。
【請求項１２】
前記所定の変調方式は、１６ＱＡＭ変調方式であり、前記ビットスワップユニットは、インターリーブされたビット（ｂ３，ｂ２，ｂ１，ｂ０）に対して、ｂ２及びｂ３を、ｂ１及びｂ０とスワップする、請求項１１に記載の伝送装置。
【請求項１３】
前記所定の変調方式は、１６ＱＡＭ変調方式であり、前記ビットスワップユニットは、インターリーブされたビット（ｂ３，ｂ２，ｂ１，ｂ０）に対して、ｂ３及びｂ１を、ｂ２及びｂ０とスワップする、請求項１１に記載の伝送装置。
【請求項１４】
前記所定の変調方式は、６４ＱＡＭ変調方式であり、前記ビットスワップユニットは、インターリーブされたビット（ｂ５，ｂ４，ｂ３，ｂ２，ｂ１，ｂ０）に対して、ｂ５、ｂ４、及びｂ３を、ｂ０、ｂ１、及びｂ２とスワップする、請求項１１に記載の伝送装置。
【請求項１５】
前記所定の変調方式は、６４ＱＡＭ変調方式であり、前記ビットスワップユニットは、インターリーブされたビット（ｂ５，ｂ４，ｂ３，ｂ２，ｂ１，ｂ０）に対して、ｂ５、ｂ３、及びｂ１を、ｂ４、ｂ２、及びｂ０とスワップする、請求項１１に記載の伝送装置。
【請求項１６】
前記所定の変調方式は、６４ＱＡＭ変調方式であり、前記ビットスワップユニットは、インターリーブされたビット（ｂ５，ｂ４，ｂ３，ｂ２，ｂ１，ｂ０）に対して、ｂ５及びｂ２を、ｂ３及びｂ０とスワップする、請求項１１に記載の伝送装置。
【請求項１７】
第１の符号化されたビットを備える符号化されたデータを生成するために、入力データを符号化するステップと、
第１のインターリーブされたビットを生成するために、前記第１の符号化されたビットをインターリーブするステップと、
処理されたビットを生成するために、前記第１のインターリーブされたビットを部分的にスワップするステップと、
前記処理されたビットを所定の変調方式における変調シンボルにマップさせるステップと、
前記変調シンボルを伝送するステップと、を含む、伝送方法。
【請求項１８】
前記第１のインターリーブされたビットを部分的にスワップするステップは、
前記第１のインターリーブされたビットを、第１のビット分配と第２のビット分配とに分割させるステップと、
スワップされた第２のビット分配を生成するために、所定のスワッピングパターンに基づいて前記第２のビット分配のビットをスワップするステップと、
前記処理されたビットを形成するために、前記第１のビット分配と、前記スワップされた第２のビット分配とを合成するステップと、をさらに含む、請求項１７に記載の伝送方法。
【請求項１９】
受信器から再伝送要求を受信するステップと、
スワップされた第１のビット分配を生成するために、前記所定のスワッピングパターンに基づいて前記第１のビット分配のビットをスワップするステップと、
前記処理されたビットを形成するために、前記スワップされた第１のビット分配と、前記第２のビット分配とを、所定の多重化パターンに基づいて合成するステップと、
前記処理されたビットを前記所定の変調方式における変調シンボルにマップさせるステップと、
前記変調シンボルを前記受信器に再伝送するステップと、をさらに含む、請求項１８に記載の伝送方法。
【請求項２０】
前記符号化されたデータが、第２の符号化されたビットをさらに備える場合に、
第２のインターリーブされたビットを生成するために、前記第２の符号化されたビットをインターリーブするステップと、
前記処理されたビットを形成するために、部分的にスワップされた前記第１のインターリーブされたビットと、前記第２のインターリーブされたビットとを、所定の多重化パターンに基づいて合成するステップと、をさらに含む、請求項１７に記載の伝送方法。
【請求項２１】
前記所定の多重化パターンは、部分的にスワップされた前記第１のインターリーブされたビットと、前記第２のインターリーブされたビットとを、Ｎ（Ｎは正の整数）ビット毎に多重化させるように定義される、請求項２０に記載の伝送方法。
【請求項２２】
部分的にスワップされた第２のインターリーブされたビットを生成するために、前記第２のインターリーブされたビットを部分的にスワップするステップと、
前記処理されたビットを形成するために、部分的にスワップされた前記第１のインターリーブされたビットと、前記部分的にスワップされた第２のインターリーブされたビットとを、前記所定の多重化パターンに基づいて合成するステップと、をさらに含む、請求項２０に記載の伝送方法。
【請求項２３】
前記第２のインターリーブされたビットを部分的にスワップするステップは、
前記第２のインターリーブされたビットを、第３のビット分配と第４のビット分配とに分割させるステップと、
スワップされた第４のビット分配を生成するために、所定のスワッピングパターンに基づいて前記第４のビット分配のビットをスワップするステップと、
前記第３のビット分配と前記スワップされた第４のビット分配とを合成するステップと、をさらに含む、請求項２２に記載の伝送方法。
【請求項２４】
前記所定の多重化パターンは、部分的にスワップされた前記第１のインターリーブされたビットと、前記部分的にスワップされた第２のインターリーブされたビットとを、Ｎ（Ｎは正の整数）ビット毎に多重化させるように定義される、請求項２２に記載の伝送方法。
【請求項２５】
第１の符号化されたビット及び第２の符号化されたビットを生成するために、入力データを符号化可能な符号器と、
第１のインターリーブされたビット及び第２のインターリーブされたビットを生成するために、前記第１の符号化されたビット及び前記第２の符号されたビットをインターリーブすることが可能なチャネルインターリーバーと、
部分的にスワップされた第１のインターリーブされたビットを生成するために、前記第１のインターリーブされたビットを部分的にスワップし、処理されたビットを生成するために、前記部分的にスワップされた第１のインターリーブされたビットと、前記第２のインターリーブされたビットとを合成することが可能な部分スワップユニットと、
前記処理されたビットを所定の変調方式における変調シンボルにマップすることが可能な変調器と、
前記変調シンボルを伝送可能な伝送器と、を含む、伝送装置。
【請求項２６】
前記部分スワップユニットは、さらに、部分的にスワップされた第２のインターリーブされたビットを生成するために、前記第２のインターリーブされたビットを部分的にスワップし、前記処理されたビットを形成するために、前記部分的にスワップされた第１のインターリーブされたビットと、前記部分的にスワップされた第２のインターリーブされたビットとを合成する、請求項２５に記載の伝送装置。
【請求項２７】
第１の符号化されたビット及び第２の符号化されたビットを生成するために、入力データを符号化するステップと、
処理されたビットを形成するために、前記第１の符号化されたビットと、前記第２の符号化されたビットとを、Ｎ（Ｎは１より大きい整数）ビット毎に多重化させるステップと、
前記処理されたビットを所定の変調方式における変調シンボルにマップさせるステップと、
前記変調シンボルを伝送するステップと、を含む、伝送方法。
【請求項２８】
部分的にスワップされた第１の符号化されたビットを生成するために、前記第１の符号化されたビットを部分的にスワップするステップと、
前記処理されたビットを形成するために、前記部分的にスワップされた第１の符号化されたビットと、前記第２の符号化されたビットとを、Ｎビット毎に多重化させるステップと、をさらに含む、請求項２７に記載の伝送方法。
【請求項２９】
部分的にスワップされた第２の符号化されたビットを生成するために、前記第２の符号化されたビットを部分的にスワップするステップと、
前記処理されたビットを形成するために、前記第１の符号化されたビットと、前記部分的にスワップされた第２の符号化されたビットとを、Ｎビット毎に多重化させるステップと、をさらに含む、請求項２７に記載の伝送方法。
【請求項３０】
部分的にスワップされた第１の符号化されたビットを生成するために、前記第１の符号化されたビットを部分的にスワップするステップと、
部分的にスワップされた第２の符号化されたビットを生成するために、前記第２の符号化されたビットを部分的にスワップするステップと、
前記処理されたビットを形成するために、前記部分的にスワップされた第１の符号化されたビットと、前記部分的にスワップされた第２の符号化されたビットとを、Ｎ（Ｎは１より大きい整数）ビット毎に多重化させるステップと、をさらに含む、請求項２７に記載の伝送方法。
【請求項３１】
第１の符号化されたビット及び第２の符号化されたビットを生成するために、入力データを符号化可能な符号器と、
第１のインターリーブされたビット及び第２のインターリーブされたビットを生成するために、前記第１の符号化されたビット及び前記第２の符号されたビットをインターリーブし、処理されたビットを形成するために、前記第１のインターリーブされたビットと、前記第２のインターリーブされたビットとを、Ｎ（Ｎは１より大きい整数）ビット毎に多重化することが可能なチャネルインターリーバーと、
前記処理されたビットを所定の変調方式における変調シンボルにマップすることが可能な変調器と、
前記変調シンボルを伝送可能な伝送器と、を含む、伝送装置。
【手続補正２】
【補正対象書類名】明細書
【補正対象項目名】全文
【補正方法】変更
【補正の内容】
【発明の詳細な説明】
【技術分野】
【０００１】
本発明は、無線通信システムにおけるデータの伝送装置及びその伝送方法に関し、特に、データ伝送の信頼性を向上させることができる伝送装置及びその伝送方法に関する。
【背景技術】
【０００２】
高速度、高品質な無線データサービスに関して、信号歪みやノイズ等がない純粋な信号を受信することは、実際上、極めて困難である。上記した信号への負の影響は、無線通信システムにおける無線チャネル環境に起因する。無線通信システムにおいては、無線チャネル環境は、ホワイトノイズや、フェーディングにより引き起こされる信号電力変化、他の利用者による遮蔽や干渉、及び多チャネル信号のためにしばしば変化する。データをモバイル端末に受信する場合には、その負の影響は、モバイル端末の移動と頻繁な速度変化が原因で引き起こされるドップラー効果をさらに含む。
【０００３】
それにより、無線通信システムにおける信号伝送と受信に伴う信号歪みの影響やノイズの低減には大量の時間と資源を使ってきた。ここで、低信頼性且つ時間変動するチャネルを伴う通信システムに関する技術として、ＡＭＣＳ（Ａｄａｐｔｉｖｅ  Ｍｏｄｕｌａｔｉｏｎ  ａｎｄ  Ｃｏｄｉｎｇ  Ｓｃｈｅｍｅ；適応変調符号化技術）や、ＨＡＲＱ（Ｈｙｂｒｉｄ Ａｕｔｏｍａｔｉｃ Ｒｅｐｅａｔ  ｒｅｑｕｅｓｔ；ハイブリッド自動再送要求）が、一般的に知られている。
【０００４】
ＡＭＣＳは、下りリンクのチャネル環境の変動に応じて送信データの変調方式や符号化率を適応的に変化させる。下りリンクのチャネルの品質は、一般的には、ユーザ装置（ＵＥ：Ｕｓｅｒ  Ｅｑｕｉｐｍｅｎｔ）が受信した下りリンクの信号の信号対ノイズ比（ＳＮＲ：Ｓｉｇｎａｌ‐ｔｏ‐Ｎｏｉｓｅ  Ｒａｔｉｏ）の測定により評価される。ユーザ装置は、チャネルの品質情報を上りリンクを用いて基地局（ＢＳ：Ｂａｓｅ  Ｓｔａｔｉｏｎ）へフィードバックする。それから基地局は、このチャネル品質情報に基づいて下りリンクチャネル環境を評価し、下りリンクチャネル環境の評価に従って、チャネル符号器に適用する適切な変調方式と符号化率を決定する。
【０００５】
一方、ＨＡＲＱは、自動再送要求（ＡＲＱ）及び順方向誤り訂正（ＦＥＣ）を併用して初期に伝送されたデータパケットのエラーを補正するために使用される再伝送制御技法である。ＨＡＲＱを実行する方式としては、チェイス合成法（ＣＣ：Ｃｈａｓｅ  Ｃｏｍｂｉｎｉｎｇ）、全体的増加冗長法（ＦＩＲ：Ｆｕｌｌ  Ｉｎｃｒｅｍｅｎｔａｌ  Ｒｅｄｕｎｄａｎｃｙ）及び部分的増加冗長法（ＰＩＲ：ＰａｒｔｉａｌＩｎｃｒｅｍｅｎｔａｌ  Ｒｅｄｕｎｄａｎｃｙ）が含まれる。
【０００６】
図１は、典型的な高速無線データパケット通信システムに用いる伝送器及び受信器を示すブロック図である。図１に示すように、伝送器１００は、符号器１１０と、チャネルインターリーバー１２０と、変調器１３０とを含む。符号器１１０は、情報ビットを入力すると、所定の符号化率で情報ビットを符号化する。符号化率Ｒ（Ｒ＝ｎ／ｋ，ｎはｋに対し、素数である）が、例えば１／２または３／４で設定されている場合に、符号器１１０が、ｋ情報ビットの入力に対して、ｎ符号化されたビットを出力する。フェーディングチャネルにおいて頻繁に生じるバーストエラーは、インターリービングにより防止することができる。チャネルインターリーバー１２０は、エラー制御符号化の欠陥を克服し、バーストエラーが引き起したデータ損失を低減するために、同じ情報を有する符号化されたビットを分配するインターリービングを実行する。変調器１３０は、ＱＰＳＫ（４相位相偏移変調）、８ＰＳＫ（８相位相偏移変調）、１６ＱＡＭ（１６値直交振幅変調）、及び６４ＱＡＭ（６４値直交振幅変調）等のような所定の変調方式において、インターリーブされたビットを変調する。その変調されたデータは、通信チャネル１９０を介して伝送される。通信チャネル１９０は、典型的には、低信頼性且つ時間変動するチャネル環境にさらされる無線通信チャネルである。好ましくは、伝送器１００は、符号器１１０に対して符号化率を選択でき、また、変調器１３０に対して変調方式を選択できる制御器をさらに含む。
【０００７】
受信器１０１は、復号器１６０と、デインターリーバー１５０、及び復調器１４０を含む。復調器１４０は、受信されたデータを対応するビット領域配列に復調する。そして、デインターリーバー１５０は、インターリーバー１２０によって適用された入力ビット配列の所定の疑似ランダム置換、またはランダム置換を適用することによって、復調器１４０から伝送されたビット配列のデインターリービングを実行する。そして、復号器１６０は、情報ビットを出力するためにデインターリーブされたデータを複号する。
【０００８】
前述のように、変調器１３０は、インターリーブされたビットに対するＱＰＳＫ、８ＰＳＫ、１６ＱＡＭ及び６４ＱＡＭ等を含む様々な変調方式をサポートしている。変調器１３０においては、インターリーブされたデータは変調シンボルにマップされ、そのシンボルマッピングは、Ｘ軸に沿うＩチャネルとＹ軸に沿うＱチャネルとを備える二次元のシンボル信号点配置においてシンボル配置の指定を参照する。変調オーダーが増加するにつれて、１個の変調シンボルでのビットの数量も増加する。１個の変調シンボルにマップされたビットは、それらの位置によって異なる伝送信頼性を備える。伝送信頼性に関しては、Ｉ（Ｉｎ  Ｐｈａｓｅ；同位相）‐Ｑ（Ｑｕａｄｒａｔｕｒｅ  Ｐｈａｓｅ；直角位相）信号点配置において、左右及び上下により定義される巨視的な領域を示す変調シンボルの２つのビットは、比較的に高信頼性を有している。巨視的領域内の微小領域を示すその他のビットは、比較的に低信頼性を有する。
【０００９】
図２は、１６ＱＡＭの典型的な信号点配置を示す図である。図２に示すように、１個の１６ＱＡＭ変調シンボルは、１個の信頼性パターン［Ｈ，Ｌ，Ｈ，Ｌ］（Ｈは高信頼性を意味し、Ｌは低信頼性を意味する。）において４ビット［ａ３，ａ２，ａ１，ａ０］を含む。即ち、２ビット［ａ１，ａ３］は、比較的に高信頼性を有し、２ビット［ａ０，ａ２］は、比較的に低信頼性を有する。図３は、６４ＱＡＭの典型的な信号点配置を示す図である。図３に示すように、１個の６４ＱＡＭ変調シンボルは、１個の信頼性パターン［Ｈ，Ｍ，Ｌ，Ｈ，Ｍ，Ｌ］（Ｍは中信頼性を意味する。）において６ビット［ａ５，ａ４，ａ３，ａ２，ａ１，ａ０］を含む。
【００１０】
しかしながら、従来のＨＡＲＱにおいては、初期に伝送されるビットとそれらの再伝送ビットとも信頼性としては同一である。低信頼性である位置にマップされたビットは、再伝送においても低信頼性を有することとなる。また、高信頼性である位置にマップされたビットにも、同様のことが起こる。
【００１１】
ＩＥＥＥ８０２．１６標準によれば、順方向誤り訂正（ＦＥＣ）方式の１個は、デュオバイナリターボ符号であり、畳み込みターボ符号とも称する。図４は、従来のＣＴＣ符号器を示すブロック図である。図４に示すように、ＣＴＣ符号器４００は、ＣＴＣインターリーバー４１０と、第１要素符号器４２１と、第２要素符号器４２２とを含む。Ａコード及びＢコードを入力すると、ＣＴＣ符号器４００は、Ａコードと、Ｂコードと、Ｙ１コードと、Ｗ１コードと、Ｙ２コードと、Ｗ２コードといった６個のコード群を出力し、そのうち、Ａコード及びＢコードは、システマティック部分である。そのほかに、Ｙ１コードおよびＷ１コードは、第１要素符号器４２１により生成されたパリティ部分である。また、Ｙ２コード及びＷ２コードは、第２要素符号器４２２により生成されたパリティ部分である。
【００１２】
図５は、ＣＴＣ符号器の従来のチャネルインターリービング方式５００を示す概略図である。図５によれば、チャネルインターリーバーは、以下の操作を実行する。その操作とは、ビットセパレーション５１、サブブロックインターリービング５２、ビットグループ化５３、及びビット選択５４である。ビットセパレーション５１の操作において、ＣＴＣ符号器４００から出力された符号化されたビットは、順次に６個のサブブロックに分配される。その６個のサブブロックとしては、Ａコードサブブロック５５１と、Ｂコードサブブロック５５２と、Ｙ１コードサブブロック５５３と、Ｙ２コードサブブロック５５４と、Ｗ１コードサブブロック５５５と、Ｗ２コードサブブロック５５６とが含まれる。これらの６個のサブブロックは、サブブロックインターリービング５２の操作において、サブブロックインターリーバー５９１，５９２，５９３，５９４，５９５及び５９６にそれぞれ入力される。ビットグループ化５３において、インターリーブされたＡコードサブブロック及びＢコードサブブロックの配列は、ビットグループ５６１及びビットグループ５６２にそれぞれグループ化される。また、Ｙ１コードサブブロック及びＹ２コードサブブロックの配列は、ビット単位で多重化され、ビットグループ５６３を形成する。また、Ｗ１コードサブブロック及びＷ２コードサブブロックの配列は、ビット単位で多重化され、ビットグループ５６４を形成する。ビット選択５４において、グループ化されたビットは、サブブロックを生成するために連続的且つ循環的に選択され、変調器に供給される。
【発明の概要】
【発明が解決しようとする課題】
【００１３】
しかしながら、上記したチャネルインターリービング方式には、以下の短所がある。まず第１に、連続する符号化ビットが、信号点配置における同じレベルの信頼性を有するビット位置にマップされる。第２に、１６ＱＡＭを使用する場合であれば、サブブロックＹ１（Ｗ１）およびサブブロックＹ２（Ｗ２）が、図６に示すように、常に、より低い信頼性およびより高い信頼性のビット位置にそれぞれマップされることとなる。そして第３に、同じ情報ビットに相当するシステマティックビット及びパリティビットの信頼度分布が、単一ではない。
【００１４】
そのため、本発明の目的としては、無線通信システムにおいて、最初の伝送または再伝送における信頼性を向上させることができる伝送装置及びその伝送方法を提供することである。
【課題を解決するための手段】
【００１５】
本発明の目的は、無線通信システムの伝送器におけるデータの再伝送のための以下の伝送方法を提供することによって達成される。その伝送方法は、ＱＡＭ信号点配置パターンにマップされた第１のデータを伝送する最初の伝送ステップと、ＱＡＭ信号点配置パターンにマップされた第２のデータを再伝送する再伝送ステップとを含む。ここで、第２のデータは、第１のデータの反転である。
【００１６】
上記本発明を実施する場合、具体的には、ＱＡＭ信号点配置パターンは、１６ＱＡＭ信号点配置パターンであってもよい。このときに、第１のデータは、ビット配列（ｂ３，ｂ２，ｂ１，ｂ０）であってもよいし、第２のデータは、ビット配列（ｂ０，ｂ１，ｂ２，ｂ３）であってもよい。ここで、１６ＱＡＭ信号点配置パターンの変調シンボルは、４ビット［ａ３，ａ２，ａ１，ａ０］を含み、そのうち、ビット［ａ３，ａ１］は、高信頼性を有し、ビット［ａ２，ａ０］は、低信頼性を有する。
【００１７】
上記本発明を実施する場合、具体的には、ＱＡＭ信号点配置パターンは、６４ＱＡＭ信号点配置パターンであってもよい。このときに、第１のデータは、ビット配列（ｂ５，ｂ４，ｂ３，ｂ２，ｂ１，ｂ０）であってもよいし、第２のデータは、ビット配列（ｂ０，ｂ１，ｂ２，ｂ３，ｂ４，ｂ５）であってもよい。ここで、６４ＱＡＭ信号点配置パターンの変調シンボルは、６ビット［ａ５，ａ４，ａ３，ａ２，ａ１，ａ０］を含み、ビット［ａ５，ａ２］は、高信頼性を有し、ビット［ａ４，ａ１］は、中信頼性を有し、ビット［ａ３，ａ０］は、低信頼性を有する。
【００１８】
また、最初の伝送ステップにおいて、第１のデータをＱＡＭ信号点配置パターンに基づいて第１の変調シンボルにマップさせ、第１の変調シンボルを伝送するステップと、第２のデータを得るために第１のデータを反転するステップとを含んでもよいし、再伝送ステップにおいて、第２のデータをＱＡＭ信号点配置パターンに基づいて第２の変調シンボルにマップさせ、第２の変調シンボルを伝送するステップとをさらに含んでもよい。
【００１９】
また、本発明の目的は、無線通信システムの伝送器におけるデータの再伝送のための以下の伝送方法を提供することによって達成される。その伝送方法は、１６ＱＡＭ信号点配置パターンにマップされたビット配列（ｂ３，ｂ２，ｂ１，ｂ０）を伝送する最初の伝送ステップと、再伝送要求を受信すると、再配列されたビット配列（ｂ２，ｂ３，ｂ０，ｂ１）を生成するために、ｂ３及びｂ１を、ｂ２及びｂ０とスワップすることにより再配列を実行するステップと、１６ＱＡＭ信号点配置パターンにマップされた再配列されたビット配列（ｂ２，ｂ３，ｂ０，ｂ１）を再伝送する再伝送ステップとを含む。
【００２０】
また、本発明の目的は、無線通信システムの伝送器におけるデータの再伝送のための以下の伝送方法を提供することによって達成される。その伝送方法は、６４ＱＡＭ信号点配置パターンにマップされたビット配列（ｂ５，ｂ４，ｂ３，ｂ２，ｂ１，ｂ０）を伝送する最初の伝送ステップと、再伝送要求を受信すると、再配列されたビット配列（ｂ４，ｂ５，ｂ２，ｂ３，ｂ０，ｂ１）を生成するために、ｂ５、ｂ３及びｂ１を、ｂ４、ｂ２、及びｂ０とスワップすることにより再配列を実行するステップと、６４ＱＡＭ信号点配置パターンにマップされた再配列されたビット配列（ｂ４，ｂ５，ｂ２，ｂ３，ｂ０，ｂ１）を再伝送する再伝送ステップとを含む。
【００２１】
また、本発明の目的は、無線通信システムの伝送器におけるデータの再伝送のための以下の伝送方法を提供することによって達成される。その伝送方法は、６４ＱＡＭ信号点配置パターンにマップされたビット配列（ｂ５，ｂ４，ｂ３，ｂ２，ｂ１，ｂ０）を伝送する最初の伝送ステップと、再伝送要求を受信すると、再配列されたビット配列（ｂ３，ｂ４，ｂ５，ｂ０，ｂ１，ｂ２）を生成するために、ｂ５及びｂ２を、ｂ３及びｂ０とスワップすることにより再配列を実行するステップと、６４ＱＡＭ信号点配置パターンにマップされた再配列されたビット配列（ｂ３，ｂ４，ｂ５，ｂ０，ｂ１，ｂ２）を再伝送する再伝送ステップとを含む。
【００２２】
また、本発明の目的は、無線通信システムにおけるデータの再伝送可能な以下の伝送装置を提供することによって達成される。その伝送装置は、符号器と、チャネルインターリーバーと、変調器と、伝送器とを含む。符号器は、入力データを符号化し、符号化されたビットを出力することができる。チャネルインターリーバーは、インターリーブされたビットを生成するために、符号化されたビットをインターリーブし、受信器から再伝送要求を受信すると、インターリーブされたビットを反転することができる。変調器は、反転されたビットを所定の変調方式における変調シンボルにマップさせることができる。伝送器は、変調シンボルを受信器に伝送することができる。
【００２３】
また、本発明の目的は、無線通信システムにおけるデータの再伝送可能な以下の伝送装置を提供することによって達成される。その伝送装置は、符号器と、チャネルインターリーバーと、ビットスワップユニットと、変調器と、伝送器とを含む。符号器は、入力データを符号化し、符号化されたビットを出力することができる。チャネルインターリーバーは、インターリーブされたビットを生成するために、符号化されたビットをインターリーブすることができる。ビットスワップユニットは、受信器から再伝送要求を受信すると、インターリーブされたビットをスワップすることができる。変調器は、スワップされたビットを所定の変調方式における変調シンボルにマップさせることができる。伝送器は、その変調シンボルを受信器に伝送することができる。
【００２４】
上記所定の変調方式は、１６ＱＡＭ変調方式であってもよい。このときに、ビットスワップユニットは、インターリーブされたビット（ｂ３，ｂ２，ｂ１，ｂ０）に対して、ｂ２及びｂ３を、ｂ１及びｂ０とスワップしてもよい。または、ビットスワップユニットは、インターリーブされたビット（ｂ３，ｂ２，ｂ１，ｂ０）に対して、ｂ３及びｂ１を、ｂ２及びｂ０とスワップしてもよい。
【００２５】
また、所定の変調方式は、６４ＱＡＭ変調方式であってもよい。このときに、ビットスワップユニットは、インターリーブされたビット（ｂ５，ｂ４，ｂ３，ｂ２，ｂ１，ｂ０）に対して、ｂ５、ｂ４、及びｂ３を、ｂ０、ｂ１、及びｂ２とスワップしてもよい。または、ビットスワップユニットは、インターリーブされたビット（ｂ５，ｂ４，ｂ３，ｂ２，ｂ１，ｂ０）に対して、ｂ５、ｂ３、及びｂ１を、ｂ４、ｂ２、及びｂ０とスワップしてもよい。または、ビットスワップユニットは、インターリーブされたビット（ｂ５，ｂ４，ｂ３，ｂ２，ｂ１，ｂ０）に対して、ｂ５及びｂ２を、ｂ３及びｂ０とスワップしてもよい。
【００２６】
また、本発明の目的は、以下の伝送方法を提供することによって達成される。その伝送方法は、第１の符号化されたビットを備える符号化されたデータを生成するために、入力データを符号化するステップと、第１のインターリーブされたビットを生成するために、第１の符号化されたビットをインターリーブするステップと、処理されたビットを生成するために、第１のインターリーブされたビットを部分的にスワップするステップと、処理されたビットを所定の変調方式における変調シンボルにマップさせるステップと、変調シンボルを伝送するステップとを含む。
【００２７】
なお、第１のインターリーブされたビットを部分的にスワップする上記ステップは、第１のインターリーブされたビットを、第１のビット分配と第２のビット分配とに分割させるステップと、スワップされた第２のビット分配を生成するために、所定のスワッピングパターンに基づいて第２のビット分配のビットをスワップするステップと、処理されたビットを形成するために、第１のビット分配と、スワップされた第２のビット分配とを合成するステップとをさらに含んでもよい。
【００２８】
そして、受信器から再伝送要求を受信した場合に、スワップされた第１のビット分配を生成するために、所定のスワッピングパターンに基づいて第１のビット分配のビットをスワップするステップと、処理されたビットを形成するために、スワップされた第１のビット分配と、第２のビット分配とを、所定の多重化パターンに基づいて合成するステップと、処理されたビットを所定の変調方式における変調シンボルにマップさせるステップと、変調シンボルを受信器に再伝送するステップとをさらに含んでもよい。
【００２９】
また、符号化されたデータが、第２の符号化されたビットをさらに備える場合に、第２のインターリーブされたビットを生成するために、第２の符号化されたビットをインターリーブするステップと、処理されたビットを形成するために、部分的にスワップされた第１のインターリーブされたビットと、第２のインターリーブされたビットとを、所定の多重化パターンに基づいて合成するステップとをさらに含んでもよい。
【００３０】
上記所定の多重化パターンは、部分的にスワップされた第１のインターリーブされたビットと、第２のインターリーブされたビットとを、Ｎ（Ｎは正の整数）ビット毎に多重化させるように定義されることが好ましい。
【００３１】
また、部分的にスワップされた第２のインターリーブされたビットを生成するために、第２のインターリーブされたビットを部分的にスワップするステップと、処理されたビットを形成するために、部分的にスワップされた第１のインターリーブされたビットと、部分的にスワップされた第２のインターリーブされたビットとを、所定の多重化パターンに基づいて合成するステップとをさらに含んでもよい。
【００３２】
また、第２のインターリーブされたビットを部分的にスワップする上記ステップは、第２のインターリーブされたビットを、第３のビット分配と第４のビット分配とに分割させるステップと、スワップされた第２のビット分配を生成するために、所定のスワッピングパターンに基づいて第４のビット分配のビットをスワップするステップと、第３のビット分配とスワップされた第４のビット分配とを合成するステップとをさらに含んでもよい。
【００３３】
上記所定の多重化パターンは、部分的にスワップされた第１のインターリーブされたビットと、部分的にスワップされた第２のインターリーブされたビットとを、Ｎ（Ｎは正の整数）ビット毎に多重化させるように定義されることが好ましい。
【００３４】
また、本発明の目的は、以下の伝送装置を提供することによって達成される。その伝送装置は、符号器と、チャネルインターリーバーと、部分スワップユニットと、変調器と、伝送器とを含む。符号器は、第１の符号化されたビット及び第２の符号化されたビットを生成するために、入力データを符号化することができる。チャネルインターリーバーは、第１のインターリーブされたビット及び第２のインターリーブされたビットを生成するために、第１の符号化されたビット及び第２の符号されたビットをインターリーブすることができる。部分スワップユニットは、部分的にスワップされた第１のインターリーブされたビットを生成するために、第１のインターリーブされたビットを部分的にスワップし、処理されたビットを生成するために、部分的にスワップされた第１のインターリーブされたビットと、第２のインターリーブされたビットとを合成することができる。変調器は、処理されたビットを所定の変調方式における変調シンボルにマップさせることができる。伝送器は、その変調シンボルを伝送することができる。
【００３５】
上記部分スワップユニットは、さらに、部分的にスワップされた第２のインターリーブされたビットを生成するために、第２のインターリーブされたビットを部分的にスワップし、処理されたビットを形成するために、部分的にスワップされた第１のインターリーブされたビットと、部分的にスワップされた第２のインターリーブされたビットとを合成する。
【００３６】
また、本発明の目的は、以下の伝送方法を提供することによって達成される。その伝送方法は、第１の符号化されたビット及び第２の符号化されたビットを生成するために入力データを符号化するステップと、処理されたビットを形成するために、第１の符号化されたビットと、第２の符号化されたビットとを、Ｎ（Ｎは１より大きい整数）ビット毎に多重化させるステップと、その処理されたビットを所定の変調方式における変調シンボルにマップさせるステップと、その変調シンボルを伝送するステップとを含む。
【００３７】
なお、部分的にスワップされた第１の符号化されたビットを生成するために、第１の符号化されたビットを部分的にスワップするステップと、処理されたビットを形成するために、部分的にスワップされた第１の符号化されたビットと、第２の符号化されたビットとを、Ｎビット毎に多重化させるステップとをさらに含んでもよい。
【００３８】
また、部分的にスワップされた第２の符号化されたビットを生成するために、第２の符号化されたビットを部分的にスワップするステップと、処理されたビットを形成するために、第１の符号化されたビットと、部分的にスワップされた第２の符号化されたビットとを、Ｎビット毎に多重化させるステップとをさらに含んでもよい。
【００３９】
また、部分的にスワップされた第１の符号化されたビットを生成するために、第１の符号化されたビットを部分的にスワップするステップと、部分的にスワップされた第２の符号化されたビットを生成するために、第２の符号化されたビットを部分的にスワップするステップと、処理されたビットを形成するために、部分的にスワップされた第１の符号化されたビットと、部分的にスワップされた第２の符号化されたビットとを、Ｎビット毎に多重化させるステップとをさらに含んでもよい。但し、Ｎは１より大きい整数である。
【００４０】
また、本発明の目的は、以下の伝送装置を提供することによって達成される。その伝送装置は、符号器と、チャネルインターリーバーと、変調器と、伝送器とを含む。符号器は、第１の符号化されたビット及び第２の符号化されたビットを生成するために、入力データを符号化することができる。チャネルインターリーバーは、第１のインターリーブされたビット及び第２のインターリーブされたビットを生成するために、第１の符号化されたビット及び第２の符号されたビットをインターリーブし、処理されたビットを形成するために、第１のインターリーブされたビットと、第２のインターリーブされたビットとを、Ｎ（Ｎは１より大きい整数）ビット毎に多重化させることができる。変調器は、処理されたビットを所定の変調方式における変調シンボルにマップさせることができる。伝送器は、その変調シンボルを伝送することができる。
【００４１】
以下の添付図面は、本発明のさらなる理解のために添付されたものであり、本発明に係る実施例を示す。この図面と、以下の説明とによって、本発明の原理を説明する。
【図面の簡単な説明】
【００４２】
【図１】従来の典型的な伝送器及び受信器を示すブロック図である。
【図２】１６ＱＡＭの典型的な信号点配置を示す図である。
【図３】６４ＱＡＭの典型的な信号点配置を示す図である。
【図４】従来のＣＴＣ符号器を示すブロック図である。
【図５】ＣＴＣ符号器の従来のチャネルインターリービング方式を示す概略図である。
【図６】従来のチャネルインターリービング方式における１６ＱＡＭのコードビットの信頼性を示す概略図である。
【図７】本発明に係る第１の実施例の伝送方法を示すフローチャートである。
【図８】本発明に係る第２の実施例の伝送方法を示すフローチャートである。
【図９】本発明に係るビットスワップ方式の具体的な代表例を示す図である。
【図１０】本発明に係る第１の実施例の伝送装置を示すブロック図である。
【図１１】本発明に係る第３の実施例の伝送方法を示すフローチャートである。
【図１２】本発明に係る伝送方法の多重化方式の第１の具体的な代表例を示す図である。
【図１３】本発明に係る伝送方法の多重化方式の第２の具体的な代表例を示す図である。
【図１４】本発明に係る伝送方法の多重化方式の第３の具体的な代表例を示す図である。
【図１５】本発明に係る伝送方法の多重化方式の第４の具体的な代表例を示す図である。
【図１６】本発明に係る第４の実施例の伝送方法を示すフローチャートである。
【図１７】本発明に係る伝送方法の部分スワッピング方式を示す概略図である。
【図１８】ＣＴＣ符号器に適用された本発明に係る部分スワッピング方式の具体的な代表例を示す図である。
【図１９】本発明に係る伝送方法の第５の実施例を示すフローチャートである。
【図２０】ＣＴＣ符号器に適用された伝送方法の具体的な代表例を示す図である。
【図２１】本発明に係る伝送装置の第２の実施例を示すブロック図である。
【発明を実施するための形態】
【００４３】
本発明の以下の詳細な説明では、当該詳細な説明の一部を構成する添付図面が参照され、これら図面は、本発明の特定の実施例を示すものである。本発明の範囲から逸脱することなく、他の実施例を実施すること、機械的、電気的な変更及び手順の変更を加えることが可能であることが、当業者によって理解されるべきである。また、可能な限り、同じ符号により各添付図面における同じ部品あるいは近似部品を参照する。
【実施例１】
【００４４】
図７は、本発明に係る第１の実施例の伝送方法を示すフローチャートである。本発明の第１の実施例には、以下のステップが含まれる。ステップ７０１は、ＱＡＭ信号点配置パターンにマップされた第１のデータを伝送する最初の伝送ステップである。そしてステップ７０２として、再伝送ステップにおいて、第１のデータの反転である第２のデータが、ＱＡＭ信号点配置パターンにマップされ、再伝送される。なお、そのＱＡＭ信号点配置パターンが、１６ＱＡＭ信号点配置パターンであると共に、第１のデータは、ビット配列（ｂ３，ｂ２，ｂ１，ｂ０）であり、第２のデータは、ビット配列（ｂ０，ｂ１，ｂ２，ｂ３）であることが好ましい。１６ＱＡＭ信号点配置パターンの変調シンボルが４ビット［ａ３，ａ２，ａ１，ａ０］を含み、ビット［ａ３，ａ１］が高信頼性を有すると共に、ビット［ａ２，ａ０］が低信頼性を有するとき、最初の伝送において１６ＱＡＭ信号点配置パターンにおける低信頼性の位置にマップされたビット［ｂ２，ｂ０］のデータは、再伝送において高信頼性の位置にマップされることが可能となる。
【００４５】
また、ＱＡＭ信号点配置パターンが、６４ＱＡＭ信号点配置パターンであり、第１のデータは、ビット配列（ｂ５，ｂ４，ｂ３，ｂ２，ｂ１，ｂ０）であり、第２のデータは、ビット配列（ｂ０，ｂ１，ｂ２，ｂ３，ｂ４，ｂ５）であることが好ましい。６４ＱＡＭ信号点配置パターンの変調シンボルが６ビット［ａ５，ａ４，ａ３，ａ２，ａ１，ａ０］を含み、ビット［ａ５，ａ２］が高信頼性を有し、ビット［ａ４，ａ１］が中信頼性を有し、ビット［ａ３，ａ０］が低信頼性を有するとき、最初の伝送において６４ＱＡＭ信号点配置パターンにおける低信頼性の位置にマップされたビット［ｂ３，ｂ０］のデータは、再伝送において高信頼性の位置にマップされることが可能となる。従って、データの再伝送の信頼性を有効に改善できる。
【実施例２】
【００４６】
図８は、本発明に係る第２の実施例の伝送方法を示すフローチャートである。図８に示すように、この第２の実施例には、以下のステップが含まれる。ステップ７１１として、ＱＡＭ信号点配置パターンにマップされたビット配列を最初の伝送において伝送する。そして、ステップ７１２において、受信器からの再伝送要求が受信されたかどうかを判断する。再伝送要求が受信された場合に、ステップ７１３に進んで、再配列されたビット配列を生成するために、ビット配列をスワップすることにより再配列を実行する。それからステップ７１４に進んで、再伝送ステップにおいて、ＱＡＭ信号点配置パターンにマップされた再配列されたビット配列を伝送する。
【００４７】
図９は、本発明に係るビットスワップ方式の具体的な代表例を示す図である。図９の具体的な代表例（Ａ）に示すように、１６ＱＡＭ信号点配置パターンにおいて、ビット配列７２１（ｂ３，ｂ２，ｂ１，ｂ０）は、ステップ７１３において、ｂ３及びｂ１を、ｂ２及びｂ０とスワップすることにより再配列され、ビット配列７２２（ｂ２，ｂ３，ｂ０，ｂ１）が生成される。
【００４８】
図９の具体的な代表例（Ｂ）に示すように、６４ＱＡＭ信号点配置パターンにおいて、ビット配列７２３（ｂ５，ｂ４，ｂ３，ｂ２，ｂ１，ｂ０）は、ステップ７１３において、ｂ５、ｂ３、及びｂ１を、ｂ４、ｂ２、及びｂ０とスワップすることにより再配列され、ビット配列７２４（ｂ４，ｂ５，ｂ２，ｂ３，ｂ０，ｂ１）が生成される。また、図９の具体的な代表例（Ｃ）に示すように、他の代表例においては、ビット配列７２３（ｂ５，ｂ４，ｂ３，ｂ２，ｂ１，ｂ０）は、ステップ７１３において、ｂ５及びｂ２を、ｂ３及びｂ０とスワップすることにより再配列され、ビット配列７２５（ｂ３，ｂ４，ｂ５，ｂ０，ｂ１，ｂ２）が生成される。
【００４９】
再配列は、ビット配列を反転することにより実行されることが好ましい。即ち、図９の具体的な代表例（Ｄ）に示すように、再配列されたビット配列７２７（ｂ０，ｂ１，・・・，ｂＬ−２，ｂＬ−１，ｂＬ）は、ビット配列７２６（ｂＬ，ｂＬ−１，ｂＬ−２，・・・，ｂ１，ｂ０）の反転である。但し、Ｌは２より大きい正の整数である。
【００５０】
図１０は、本発明に係る第１の実施例の伝送装置を示すブロック図である。伝送装置７３０は、符号器７３１と、チャネルインターリーバー７３２と、ビットスワップユニット７３３と、変調器７３４と、伝送器７３５とを含む。符号器７３１は、入力データ７４１を符号化することが可能であり、符号化されたビット７４２を出力する。チャネルインターリーバー７３２は、インターリーブされたビット７４３を生成するために、符号化されたビット７４２をインターリーブすることができる。最初の伝送において、変調器７３４は、インターリーブされたビット７４３を所定の変調方式における変調シンボル７４４にマップすることができる。そして、変調シンボル７４４は、伝送器７３５によって伝送される。
【００５１】
伝送装置７３０が、受信器からの再伝送要求７４９を受信すると、ビットスワップユニット７３３は、インターリーブされたビット７４３をスワップしてビット７４５を生成する。そして、変調器７３４は、スワップされたビット７４５を所定の変調方式における変調シンボル７４４にマップさせる。それから、伝送器７３５は、その変調シンボル７４４を受信器に伝送する。上記所定の変調方式は、１６ＱＡＭ変調方式、または６４ＱＡＭ変調方式であることが好ましい。ビットスワップユニット７３３により実行されるビットスワップ方式については、上記と同様であるため、詳しい説明を省略する。好ましくは、ビットスワップユニット７３３は、チャネルインターリーバー７３２内において実行され、ビットスワップ方式も、チャネルインターリーバー７３２により実行される。
【実施例３】
【００５２】
図１１は、本発明に係る第３の実施例の伝送方法を示すフローチャートである。この第３の実施例には、以下のステップが含まれる。ステップ８０１において、第１の符号化されたビットおよび第２の符号化されたビットを備える符号化されたデータを生成するために、入力データを符号化する。ステップ８０２において、処理されたビットを形成するために、第１の符号化されたビットと、第２の符号化されたビットとを、Ｎビット毎に多重化させる。但し、Ｎは１より大きい整数である。ステップ８０３において、処理されたビットを所定の変調方式における変調シンボルにマップさせる。そして、ステップ８０４において、変調シンボルは伝送される。なお、所定の変調方式が１６ＱＡＭである場合は、Ｎは２または６であることが好ましい。また、所定の変調方式が６４ＱＡＭである場合は、Ｎは３または６であることが好ましい。
【００５３】
図１２は、本発明に係る伝送方法の多重化方式の第１の具体的な代表例を示す図である。図１２においては、ＣＴＣ符号器に以下のような多重化方式が適用されている。即ち、Ｙ１コードに相当し、サブブロックインターリーバー５９３から出力されたデータと、Ｙ２コードに相当し、サブブロックインターリーバー５９４から出力されたデータとが、６ビット毎に多重化される。同様に、Ｗ１コードに相当し、サブブロックインターリーバー５９５から出力されたデータと、Ｗ２コードに相当し、サブブロックインターリーバー５９６から出力されたデータとが、６ビット毎に多重化される。その結果、本発明の多重化方式においては、Ｙ１コード、Ｙ２コード、Ｗ１コード、及びＷ２コードは、１６ＱＡＭ変調方式または６４ＱＡＭ変調方式における伝送において、より均一な信頼性を得ることができる。
【００５４】
図１３は、本発明に係る伝送方法の多重化方式の第２の具体的な代表例を示す図である。この体表例においては、Ａコードに相当し、サブブロックインターリーバー５９１から出力されたデータと、Ｂコードに相当し、サブブロックインターリーバー５９２から出力されたデータとが、６ビット毎に多重化される。それにより、システマティックビット（ＡコードとＢコード）及びパリティビット（Ｙ１コード、Ｙ２コード、Ｗ１コード、及びＷ２コード）が、伝送において、より均一な信頼性を得ることができる。
【００５５】
図１４は、本発明に係る伝送方法の多重化方式の第３の具体的な代表例を示す図である。図１４においては、ＣＴＣ符号器に以下のような多重化方式が適用されている。即ち、Ｙ１コードに相当し、サブブロックインターリーバー５９３から出力されたデータと、Ｙ２コードに相当し、サブブロックインターリーバー５９４から出力されたデータとが、２ビット毎に多重化される。同様に、Ｗ１コードに相当し、サブブロックインターリーバー５９５から出力されたデータと、Ｗ２コードに相当し、サブブロックインターリーバー５９６から出力されたデータとが、２ビット毎に多重化される。その結果、本発明の多重化方式においては、Ｙ１コード、Ｙ２コード、Ｗ１コード、及びＷ２コードは、１６ＱＡＭ変調方式における伝送において、より均一な信頼性を得ることができる。
【００５６】
図１５は、本発明に係る伝送方法の多重化方式の第４の具体的な代表例を示す図である。図１５においては、ＣＴＣ符号器に以下のような多重化方式が適用されている。即ち、Ｙ１コードに相当し、サブブロックインターリーバー５９３から出力されたデータと、Ｙ２コードに相当し、サブブロックインターリーバー５９４から出力されたデータとが、３ビット毎に多重化される。同様に、Ｗ１コードに相当し、サブブロックインターリーバー５９５から出力されたデータと、Ｗ２コードに相当し、サブブロックインターリーバー５９６から出力されたデータとが、３ビット毎に多重化される。その結果、本発明の多重化方式においては、Ｙ１コード、Ｙ２コード、Ｗ１コード、及びＷ２コードは、６４ＱＡＭ変調方式における伝送において、より均一な信頼性を得ることができる。
【００５７】
好ましくは、Ａコードに相当し、サブブロックインターリーバー５９１から出力されたデータと、Ｂコードに相当し、サブブロックインターリーバー５９２から出力されたデータとは、必要に応じて、２ビットまたは３ビット毎に多重化される。
【実施例４】
【００５８】
図１６は、本発明に係る第４の実施例の伝送方法を示すフローチャートであり、図１７は、本発明に係る伝送方法の部分スワッピング方式を示す概略図である。図１６に示すように、この第４の実施例には、以下のステップが含まれる。ステップ９００において、第１の符号化されたビットを備える符号化されたデータを生成するために、入力データを符号化する。ステップ９０１において、第１のインターリーブされたビットを生成するために、第１の符号化されたビットをインターリーブする。そうすると、図１７に示すように、インターリーブされたビット９１０が生成される。ステップ９０２において、処理されたビットを生成するために、第１のインターリーブされたビットを部分的にスワップする。そうすると、図１７に示すように、処理されたビット９１３が生成される。ステップ９０３において、処理されたビットを所定の変調方式における変調シンボルにマップさせ、そしてステップ９０４において、その変調シンボルを伝送する。ステップ９０２には、さらに以下のステップ９０２ａ、９０２ｂ、及び９０２ｃが含まれることが好ましい。ステップ９０２ａにおいて、インターリーブされたビットを、第１のビット分配と第２のビット分配とに分割する。図１７に示すように、ビット分配９１１およびビット分配９１２は、それぞれ上記の第１のビット分配および第２のビット分配として参照される。第１のビット分配と第２のビット分配との比は、ｍ：ｎとなる。但し、ｍ及びｎは、０以上の整数であり、例えばこの比は、１：０、１：１、または１：２等となる。
【００５９】
ステップ９０２ｂにおいて、スワップされた第２のビット分配を生成するために、所定のスワッピングパターンに基づいて、第２のビット分配のビットをスワップする。ステップ９０２ｃにおいて、処理されたビットを形成するために、第１のビット分配と、スワップされた第２のビット分配とを合成する。
【００６０】
符号化されたデータが第２の符号化されたビットを備える場合には、この実施例は、さらに、第２のインターリーブされたビットを生成するために、第２の符号化されたビットをインターリーブするステップと、処理されたビットを形成するために、部分的にスワップされた第１のインターリーブされたビットと、第２のインターリーブされたビットとを、所定の多重化パターンに基づいて合成するステップとを含んでもよい。そして、図１７に示すように、処理されたビット９２３が生成される。
【００６１】
好ましくは、部分的にスワップされた第２のインターリーブされたビットを生成するために、第２のインターリーブされたビットを必要に応じて部分的にスワップする。また、処理されたビットを形成するために、部分的にスワップされた第１のインターリーブされたビットと、部分的にスワップされた第２のインターリーブされたビットとを、所定の多重化パターンに基づいて合成する。例えば、所定のスワッピングパターンに基づいて、インターリーブされたビット９３０のビット分配９３１に対してビットスワップを実行する。そして、処理されたビットを生成するために、部分的にスワップされたインターリーブされたビット９１０及び９３０を、所定の多重化パターンに基づいて合成する。ここで、図１７においては、理解の容易のために、ビットスワップが実行されたビット分配を、斜線で描かれたビット分配として示す。
【００６２】
また、好ましくは、ビットスワップが実行されるビット分配は、再伝送時に変更される。例えば、受信器から再伝送要求を受信した場合に、第１のビット分配のビットを所定のスワッピングパターンに基づいてスワップする。そして、処理されたビットを形成するために、スワップされた第１のビット分配と、第２のビット分配とを、所定の多重化パターンに基づいて合成する。そこで、処理されたビットは、所定の変調方式における変調シンボルにマップされる。それから、変調シンボルを受信器に再伝送する。
【００６３】
図１８は、ＣＴＣ符号器に適用された本発明に係る部分スワッピング方式の具体的な代表例を示す図である。Ａ’コード、Ｂ’コード、Ｙ１’コード、Ｙ２’コード、Ｗ１’コード、及びＷ２’コードは、それぞれ、インターリーブされたＡコード、Ｂコード、Ｙ１コード、Ｙ２コード、Ｗ１コード、及びＷ２コードを表している。斜線で描かれたブロックは、ビットスワップが実行されたビット分配を表している。（Ａ）方式、および（Ｂ）方式は、二種類の部分スワッピング方式である。Ａ’コード、Ｂ’コード、Ｙ１’コード、Ｙ２’コード、Ｗ１’コード、及びＷ２’コードのスワップされたビット分配の位置は、その二種類の具体的な代表例において異なる。そのため、これらの二つの方式は、それぞれ最初の伝送及び再伝送に適用されてもよい。
【００６４】
ここで、上記した伝送方法の四つの実施例において説明したビット反転方式と、ビットスワッピング方式と、ビット部分スワッピング方式と、多重化方式とは、必要に応じて、より優れた効果を得るために併用されてもよい。図１９は、本発明に係る伝送方法の第５の実施例を示すフローチャートである。まず、ステップ９４１において、第１の符号化されたビットと、第２の符号化されたビットとを生成するために、入力データを符号化する。そして、ステップ９４２において、第１のインターリーブされたビット及び第２のインターリーブされたビットを生成するために、上記第１の符号化されたビット及び第２の符号されたビットをそれぞれインターリーブする。それから、ステップ９４３において、第１のインターリーブされたビット及び第２のインターリーブされたビットを、それぞれ部分的にスワップする。ステップ９４４において、処理されたビットを生成するために、部分的にスワップされた第１のインターリーブされたビットと、部分的にスワップされた第２のインターリーブされたビットとを、所定の多重化パターンに基づいて合成する。上記処理されたビットは、さらなる伝送のために、ステップ９４５において、所定の変調方式における変調シンボルにマップされる。
【００６５】
図２０は、ＣＴＣ符号器に適用された伝送方法の具体的な代表例を示す図である。図２０において、ＣＴＣ符号器より出力されたビット配列を、Ａコードと、Ｂコードと、Ｙ１コードと、Ｙ２コードと、Ｗ１コードと、Ｗ２コードとに分割する。そのうち、Ａコード及びＢコードは、システマティックビットであり、Ｙ１コード、Ｙ２コード、Ｗ１コード、及びＷ２コードは、パリティビットである。Ａコード、Ｂコード、Ｙ１コード、Ｙ２コード、Ｗ１コード、及びＷ２コードは、サブブロックインターリーバー５９１、５９２、５９３、５９４、５９５、及び５９６に、インターリービングのために供給される。そして、インターリーブされたコードに、部分的にスワップを実行する。斜線で描かれたブロックは、ビットスワップが実行されたビット分配を示す。ここで、ビットスワップ方式としては、例えば、図９の具体的な代表例（Ａ）に示すようなビットスワップ方式が挙げられる。斜線で描かれたブロックにおいては、第１のビットが第３のビットとスワップされ、第４のビットが第６のビットとスワップされ、第７のビットが第９のビットとスワップされる。そして、このようなスワッピング規則は、さらに他のビットに対しても連続的に繰り返して実行される。部分的にスワップされたインターリーブされたビット９６１及び９６２は、処理されたビット９７１及び９７２としてダイレクトにマップされる。部分的にスワップされたインターリーブされたビット９６３及び９６４は、処理されたビット９７３を形成するために、図１５に示す多重化方式に基づいて多重化される。同様に、部分的にスワップされたインターリーブされたビット９６５及び９６６は、処理されたビット９７４を形成するために、図１５に示す多重化方式に基づいて多重化される。
【００６６】
図２１は、本発明に係る伝送装置の第２の実施例を示すブロック図である。伝送装置９９０は、符号器７３１と、チャネルインターリーバー９９１と、変調器７３４と、伝送器７３５とを含む。チャネルインターリーバー９９１は、サブブロックインターリーバー９９２と、部分スワップユニット９９３と、多重化ユニット９９４とをさらに含む。符号器７３１は、符号化されたビット７４２を生成するために、入力データ７４１を符号化することができる。サブブロックインターリーバー９９２は、符号されたビット７４２をインターリーブすることができる。部分スワップユニット９９３は、比例値９９３２に基づいて、ビットスワップするためのビット分配の位置を決定する。そして、部分スワップユニット９９３は、サブブロックインターリーバー９９２より出力されたインターリーブされたビットに対し、所定のスワッピングパターン９９３１に基づいて、部分的にスワップを実行する。処理されたビット９９４２を生成するために、多重化ユニット９９４は、所定の多重化パターン９９４１に基づいて、部分スワップユニット９９３より出力されたビットを多重化することができる。変調器７３４は、処理されたビット９９４２を所定の変調方式における変調シンボルにマップさせることができる。そして、伝送器７３５は、その変調シンボルを遠隔の受信器に伝送することができる。
【００６７】
以上、本発明に関して、特定の好ましい実施例を参照して説明したが、添付した特許請求の範囲により定義されているように、本発明の理念及び範囲から逸脱することなく、形状及び細部において種々の変更を加えることが可能であることが、当業者により理解されるべきであろう。
【符号の説明】
【００６８】
１００  伝送器、１０１  受信器、１１０，７３１  符号器、１２０，７３２，９９１  チャネルインターリーバー、１３０，７３４  変調器、１４０  復調器、１５０  デインターリーバー、１６０  復号器、１９０  通信チャネル、４００  ＣＴＣ符号器、４１０  ＣＴＣインターリーバー、４２１  第１要素符号器、４２２  第２要素符号器、５００  ＣＴＣ符号器の従来のチャネルインターリービング方式、５１，５２，５３，５４，７０１，７０２，７１１，７１２，７１３，７１４，８０１，８０２，８０３，８０４，９００，９０１，９０２，９０２ａ，９０２ｂ，９０２ｃ，９０４，９４１，９４２，９４３，９４４，９４５  作業ステップ、５５１，５５２，５５３，５５４，５５５，５５６  コードサブブロック、５６１，５６２，５６３，５６４  ビットグループ、５９１，５９２，５９３，５９４，５９５，５９６，９９２  サブブロックインターリーバー、７２１，７２３，７２６  ビット配列、７２２，７２４，７２５，７２７  再配列されたビット配列、７３０，９９０  伝送装置、７３３  ビットスワップユニット、７３５  伝送器、７４１  入力データ、７４２  符号化されたビット、７４３，９１０，９３０  インターリーブされたビット、７４４  変調シンボル、７４５  スワップされたビット、７４９  再伝送要求、９１１，９１２，９３１，９３２  ビット分配、９１３，９２３，９３３，９７１，９７２，９７３，９７４，９９４２  処理されたビット、９６１，９６２，９６３，９６４，９６５，９６６  部分的にスワップされたインターリーブされたビット、９９３  部分スワップユニット、９９３１  スワッピングパターン、９９３２  比例値、９９４  多重化ユニット、９９４１  多重化パターン。
【手続補正３】
【補正対象書類名】図面
【補正対象項目名】図９
【補正方法】変更
【補正の内容】
【図９】
2010206797.tif 000024
【手続補正４】
【補正対象書類名】図面
【補正対象項目名】図１１
【補正方法】変更
【補正の内容】
【図１１】
2010206797.tif 000025
【手続補正５】
【補正対象書類名】図面
【補正対象項目名】図１６
【補正方法】変更
【補正の内容】
【図１６】
2010206797.tif 000026
【手続補正６】
【補正対象書類名】図面
【補正対象項目名】図１９
【補正方法】変更
【補正の内容】
【図１９】
2010206797.tif 000027
【外国語明細書】
2010206797000001.pdf